(57)【特許請求の範囲】
【請求項１】
モバイル端末における方法であって、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと
を備える、方法。
【請求項２】
前記１つまたは複数のＣＡ構成で動作する前記能力と前記測定ギャップ要件の前記指示とを含む能力メッセージを生成することと、
前記能力メッセージをサービング基地局に送ることと
をさらに備える、請求項１に記載の方法。
【請求項３】
前記能力メッセージを生成することが、前記サービング基地局からの要求に応答する、請求項２に記載の方法。
【請求項４】
前記能力メッセージを生成することが、無線リソースの再構成に関連して前記モバイル端末によって開始される、請求項２に記載の方法。
【請求項５】
前記モバイル端末が複数の受信機を備え、前記測定ギャップ要件が前記複数の受信機の能力に基づく、請求項１に記載の方法。
【請求項６】
前記受信機のうちの少なくとも２つが同じ周波数帯域上で動作することが可能である、請求項５に記載の方法。
【請求項７】
前記測定ギャップ要件が、前記モバイル端末における受信機リソースの論理的配置に対応する、請求項１に記載の方法。
【請求項８】
前記ＣＡ構成のうちの少なくとも１つが、単一の周波数帯域内で定義された複数のコンポーネントキャリアを有する前記単一の周波数帯域を備える、請求項１に記載の方法。
【請求項９】
前記ＣＡ構成のうちの少なくとも１つが、複数のコンポーネントキャリアを定義する複数の周波数帯域を備える、請求項１に記載の方法。
【請求項１０】
キャリアアグリゲーション構成のセットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
をさらに備える、請求項１に記載の方法。
【請求項１１】
前記セットから選択された他のキャリアアグリゲーション構成についての再構成要求を受信することと、
前記他のキャリアアグリゲーション構成に基づいて周波数間測定ギャップ要件をシグナリングすることと
をさらに備える、請求項１０に記載の方法。
【請求項１２】
周波数間測定ギャップ要件に基づく周波数測定要求を受信することと、
前記測定要求が前記モバイル端末の論理的構成または物理的構成に適合しないとき、「適合不可」指示をシグナリングすることと
をさらに備える、請求項１に記載の方法。
【請求項１３】
モバイル端末における方法であって、
あらかじめ定義されたキャリアアグリゲーション構成のセット上で動作する能力をシグナリングすることと、
前記セットに対応する周波数間測定ギャップ要件をシグナリングすることと
を備える、方法。
【請求項１４】
あらかじめ定義されたキャリアアグリゲーション構成の前記セットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
をさらに備える、請求項１３に記載の方法。
【請求項１５】
基地局における方法であって、
モバイル端末から、１つまたは複数の周波数帯域を各々が備える１つまたは複数のキャリアアグリゲーション（ＣＡ）構成で動作する能力の指示を受信することと、
前記モバイル端末によってサポートされる周波数帯域について各ＣＡ構成で動作するときの前記モバイル端末の測定ギャップ要件の指示を受信することと
を備える、方法。
【請求項１６】
前記モバイル端末から、前記１つまたは複数のＣＡ構成で動作する前記能力と前記測定ギャップ要件の前記指示とを含む能力メッセージを受信することをさらに備える、請求項１５に記載の方法。
【請求項１７】
前記能力メッセージが、前記基地局からの要求に応答して受信される、請求項１６に記載の方法。
【請求項１８】
前記能力メッセージが、前記基地局によって要求された無線リソースの再構成に応答して受信される、請求項１６に記載の方法。
【請求項１９】
前記測定ギャップ要件が、前記モバイル端末中の複数の受信機の能力に対応する、請求項１５に記載の方法。
【請求項２０】
前記測定ギャップ要件が、前記モバイル端末における受信機リソースの論理的配置に対応する、請求項１５に記載の方法。
【請求項２１】
前記ＣＡ構成のうちの少なくとも１つが、単一の周波数帯域内で定義された複数のコンポーネントキャリアを有する前記単一の周波数帯域を備える、請求項１５に記載の方法。
【請求項２２】
前記ＣＡ構成のうちの少なくとも１つが、複数のコンポーネントキャリアを定義する複数の周波数帯域を備える、請求項１５に記載の方法。
【請求項２３】
キャリアアグリゲーション構成のセットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件を示す信号を受信することと
をさらに備える、請求項１５に記載の方法。
【請求項２４】
前記セットから選択された他のキャリアアグリゲーション構成についての再構成要求を送信することと、
前記セットから選択された前記他のキャリアアグリゲーション構成に基づく周波数間測定ギャップ要件を受信することと
をさらに備える、請求項２３に記載の方法。
【請求項２５】
周波数間測定ギャップ要件に基づいて周波数測定要求を送信することと、
前記測定要求が前記モバイル端末の論理的構成または物理的構成に適合しないとき、「適合不可」指示を受信することと
をさらに備える、請求項１５に記載の方法。
【請求項２６】
基地局における方法であって、
モバイル端末から、あらかじめ定義されたキャリアアグリゲーション構成のセット上で動作する能力の指示を受信することと、
前記セットに対応する前記モバイル端末の周波数間測定ギャップ要件の指示を受信することと
を備える、方法。
【請求項２７】
前記セットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件の指示を受信することと
をさらに備える、請求項２６に記載の方法。
【請求項２８】
周波数間測定ギャップ要件の前記指示と、あらかじめ定義されたキャリアアグリゲーション構成のセット上で動作する前記能力の前記指示とが、同じメッセージ中で前記モバイル端末から受信され、前記同じメッセージが、前記基地局からの要求に応答して受信される、請求項２６に記載の方法。
【請求項２９】
モバイル端末であって、
１つまたは複数の周波数帯域を各々が備える１つまたは複数のキャリアアグリゲーション（ＣＡ）構成で動作する能力をシグナリングするための手段と、
各ＣＡ構成について、前記モバイル端末によってサポートされる周波数帯域について前記モバイル端末が前記各ＣＡ構成で動作するときの測定ギャップ要件の指示を与えるための手段と
を備える、モバイル端末。
【請求項３０】
前記１つまたは複数のＣＡ構成で動作する前記能力と前記測定ギャップ要件の前記指示とを含む能力メッセージを生成するための手段と、
前記能力メッセージをサービング基地局に送るための手段と
をさらに備える、請求項２９に記載のモバイル端末。
【請求項３１】
前記能力メッセージを生成するための前記手段が、前記サービング基地局からの要求に応答して動作可能である、請求項３０に記載のモバイル端末。
【請求項３２】
前記能力メッセージを生成するための前記手段が、無線リソースの再構成に関連して開始される、請求項３０に記載のモバイル端末。
【請求項３３】
前記モバイル端末が複数の受信手段を備え、前記測定ギャップ要件が前記複数の受信手段の能力に基づく、請求項２９に記載のモバイル端末。
【請求項３４】
前記受信手段のうちの少なくとも２つが同じ周波数帯域上で動作することが可能である、請求項３３に記載のモバイル端末。
【請求項３５】
前記測定ギャップ要件が、前記モバイル端末における受信手段の論理的配置に対応する、請求項２９に記載のモバイル端末。
【請求項３６】
前記ＣＡ構成のうちの少なくとも１つが、単一の周波数帯域内で定義された複数のコンポーネントキャリアを有する前記単一の周波数帯域を備える、請求項２９に記載のモバイル端末。
【請求項３７】
前記ＣＡ構成のうちの少なくとも１つが、複数のコンポーネントキャリアを定義する複数の周波数帯域を備える、請求項２９に記載のモバイル端末。
【請求項３８】
キャリアアグリゲーション構成のセットからキャリアアグリゲーション構成を選択するための構成コマンドを受信するための手段と、
前記選択されたキャリアアグリゲーション構成中のキャリアに関連する通信帯域上で動作するための受信機リソースを割り当てるための手段と、
前記選択されたキャリアアグリゲーション構成に基づいて周波数間測定ギャップ要件をシグナリングするための手段と
をさらに備える、請求項２９に記載のモバイル端末。
【請求項３９】
前記セットから選択された他のキャリアアグリゲーション構成についての再構成要求を受信するための手段と、
前記セットから選択された前記他のキャリアアグリゲーション構成に基づいて周波数間測定ギャップ要件をシグナリングするための手段と
をさらに備える、請求項３８に記載のモバイル端末。
【請求項４０】
周波数間測定ギャップ要件に基づく周波数測定要求を受信するための手段と、
前記測定要求が前記モバイル端末の論理的構成または物理的構成に適合しないとき、「適合不可」指示をシグナリングするための手段と
をさらに備える、請求項２９に記載のモバイル端末。
【請求項４１】
モバイル端末であって、
あらかじめ定義されたキャリアアグリゲーション構成のセット上で動作する能力をシグナリングするための手段と、
前記セットに対応する周波数間測定ギャップ要件をシグナリングするための手段と
を備える、モバイル端末。
【請求項４２】
前記セットからキャリアアグリゲーション構成を選択するための構成コマンドを受信するための手段と、
前記選択されたキャリアアグリゲーション構成中のキャリアに関連する通信帯域上で動作するための受信機リソースを割り当てるための手段と、
前記選択されたキャリアアグリゲーション構成に基づいて周波数間測定ギャップ要件をシグナリングするための手段と
を備える、請求項４１に記載のモバイル端末。
【請求項４３】
基地局であって、
モバイル端末から、１つまたは複数の周波数帯域を各々が備える１つまたは複数のキャリアアグリゲーション（ＣＡ）構成で動作する能力の指示を受信するための手段と、
前記モバイル端末によってサポートされる周波数帯域について各ＣＡ構成で動作するときの前記モバイル端末の測定ギャップ要件の指示を受信するための手段と
を備える、基地局。
【請求項４４】
前記モバイル端末から、前記１つまたは複数のＣＡ構成で動作する前記能力と前記測定ギャップ要件の前記指示とを含む能力メッセージを受信するための手段をさらに備える、
請求項４３に記載の基地局。
【請求項４５】
前記能力メッセージが、前記基地局からの要求に応答して受信される、請求項４４に記載の基地局。
【請求項４６】
前記能力メッセージが、前記基地局によって要求された無線リソースの再構成に応答して受信される、請求項４４に記載の基地局。
【請求項４７】
前記測定ギャップ要件が、前記モバイル端末中の複数の受信機の能力に対応する、請求項４３に記載の基地局。
【請求項４８】
前記測定ギャップ要件が、前記モバイル端末における受信機リソースの論理的配置に対応する、請求項４３に記載の基地局。
【請求項４９】
前記ＣＡ構成のうちの少なくとも１つが、単一の周波数帯域内で定義された複数のコンポーネントキャリアを有する前記単一の周波数帯域を備える、請求項４３に記載の基地局。
【請求項５０】
前記ＣＡ構成のうちの少なくとも１つが、複数のコンポーネントキャリアを定義する複数の周波数帯域を備える、請求項４３に記載の基地局。
【請求項５１】
キャリアアグリゲーション構成のセットからキャリアアグリゲーション構成を選択するための構成コマンドを送信するための手段と、
前記選択されたキャリアアグリゲーション構成中のキャリアに関連する通信帯域に対応する前記モバイル端末中の受信機リソースの割当てに基づく周波数間測定ギャップ要件を示す信号を受信するための手段と
をさらに備える、請求項４３に記載の基地局。
【請求項５２】
前記セットから選択された他のキャリアアグリゲーション構成についての再構成要求を送信するための手段と、
前記セットから選択された前記他のキャリアアグリゲーション構成に基づいて周波数間測定ギャップ要件を受信するための手段と
をさらに備える、請求項５１に記載の基地局。
【請求項５３】
周波数間測定ギャップ要件に基づいて周波数測定要求を送信するための手段と、
前記測定要求が前記モバイル端末の論理的構成または物理的構成に適合しないとき、「適合不可」指示を受信するための手段と
をさらに備える、請求項４３に記載の基地局。
【請求項５４】
基地局であって、
モバイル端末から、あらかじめ定義されたキャリアアグリゲーション構成のセット上で動作する能力の指示を受信するための手段と、
前記セットに対応する前記モバイル端末の周波数間測定ギャップ要件の指示を受信するための手段と
を備える、基地局。
【請求項５５】
前記セットからキャリアアグリゲーション構成を選択するための構成コマンドを送信するための手段と、
前記選択されたキャリアアグリゲーション構成中のキャリアに関連する通信帯域に対応する前記モバイル端末中の受信機リソースの割当てに基づく周波数間測定ギャップ要件の指示を受信するための手段と
をさらに備える、請求項５４に記載の基地局。
【請求項５６】
周波数間測定ギャップ要件の前記指示と、あらかじめ定義されたキャリアアグリゲーション構成のセット上で動作する前記能力の前記指示とが、同じメッセージ中で前記モバイル端末から受信され、前記同じメッセージが、前記基地局からの要求に応答して受信される、請求項５４に記載の基地局。
【請求項５７】
モバイル端末のコンピュータに、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと、
前記１つまたは複数のＣＡ構成で動作する前記能力と前記測定ギャップ要件の前記指示とを含む能力メッセージを生成することと、
前記能力メッセージをサービング基地局に送ることと
を行わせる命令を備える、コンピュータプログラム。
【請求項５８】
基地局のコンピュータに、
モバイル端末から、あらかじめ定義されたキャリアアグリゲーション構成のセット上で動作する能力の指示を受信することと、
前記セットに対応する前記モバイル端末の周波数間測定ギャップ要件の指示を受信することと
を行わせる命令を備える、コンピュータプログラム。
【請求項５９】
モバイル端末であって、
プロセッサと、
前記プロセッサによって実行されたとき、前記モバイル端末を、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと
を行うように構成する、プロセッサ実行可能命令を備えるメモリと
を備える、モバイル端末。
【請求項６０】
前記モバイル端末が、
前記１つまたは複数のＣＡ構成で動作する前記能力と前記測定ギャップ要件の前記指示とを含む能力メッセージを生成することと、
前記能力メッセージをサービング基地局に送ることと
を行うようにさらに構成された、請求項５９に記載のモバイル端末。
【請求項６１】
前記モバイル端末が、前記サービング基地局からの要求に応答して前記能力メッセージを生成するように構成された、請求項６０に記載のモバイル端末。
【請求項６２】
前記モバイル端末が、無線リソースの再構成に応答して前記能力メッセージを生成するように構成された、請求項６０に記載のモバイル端末。
【請求項６３】
前記モバイル端末が複数の受信機を備え、前記測定ギャップ要件が前記複数の受信機の能力に基づく、請求項５９に記載のモバイル端末。
【請求項６４】
前記受信機のうちの少なくとも２つが同じ周波数帯域上で動作することが可能である、請求項６３に記載のモバイル端末。
【請求項６５】
前記測定ギャップ要件が、前記モバイル端末における受信機リソースの論理的配置に対応する、請求項５９に記載のモバイル端末。
【請求項６６】
前記ＣＡ構成のうちの少なくとも１つが、単一の周波数帯域内で定義された複数のコンポーネントキャリアを有する前記単一の周波数帯域を備える、請求項５９に記載のモバイル端末。
【請求項６７】
前記ＣＡ構成のうちの少なくとも１つが、複数のコンポーネントキャリアを定義する複数の周波数帯域を備える、請求項５９に記載のモバイル端末。
【請求項６８】
前記モバイル端末が、
キャリアアグリゲーション構成のセットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
を行うようにさらに構成された、請求項５９に記載のモバイル端末。
【請求項６９】
前記モバイル端末が、
前記セットから選択された他のキャリアアグリゲーション構成についての再構成要求を受信することと、
前記他のキャリアアグリゲーション構成に基づいて周波数間測定ギャップ要件をシグナリングすることと
を行うようにさらに構成された、請求項６８に記載のモバイル端末。
【請求項７０】
前記モバイル端末が、
周波数間測定ギャップ要件に基づいて周波数測定要求を受信することと、
前記測定要求が前記モバイル端末の論理的構成または物理的構成に適合しないとき、「適合不可」指示をシグナリングすることと
を行うようにさらに構成された、請求項５９に記載のモバイル端末。
【請求項７１】
基地局であって、
プロセッサと、
前記プロセッサによって実行されたとき、前記基地局を、
モバイル端末から、１つまたは複数の周波数帯域を各々が備える１つまたは複数のキャリアアグリゲーション（ＣＡ）構成で動作する能力の指示を受信することと、
前記モバイル端末によってサポートされる周波数帯域について各ＣＡ構成で動作するときの前記モバイル端末の測定ギャップ要件の指示を受信することと
を行うように構成する、プロセッサ実行可能命令を備えるメモリと
を備える、基地局。
【請求項７２】
前記基地局が、前記モバイル端末から、前記１つまたは複数のＣＡ構成で動作する前記能力と前記測定ギャップ要件の前記指示とを含む能力メッセージを受信するようにさらに構成された、請求項７１に記載の基地局。
【請求項７３】
前記能力メッセージが、前記基地局からの要求に応答して受信される、請求項７２に記載の基地局。
【請求項７４】
前記能力メッセージが、前記基地局によって要求された無線リソースの再構成に応答して受信される、請求項７２に記載の基地局。
【請求項７５】
前記測定ギャップ要件が、前記モバイル端末中の複数の受信機の能力に対応する、請求項７１に記載の基地局。
【請求項７６】
前記測定ギャップ要件が、前記モバイル端末における受信機リソースの論理的配置に対応する、請求項７１に記載の基地局。
【請求項７７】
前記ＣＡ構成のうちの少なくとも１つが、単一の周波数帯域内で定義された複数のコンポーネントキャリアを有する前記単一の周波数帯域を備える、請求項７１に記載の基地局。
【請求項７８】
前記ＣＡ構成のうちの少なくとも１つが、複数のコンポーネントキャリアを定義する複数の周波数帯域を備える、請求項７１に記載の基地局。
【請求項７９】
前記基地局が、
キャリアアグリゲーション構成のセットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件を示す信号を受信することと
を行うようにさらに構成された、請求項７１に記載の基地局。
【請求項８０】
前記基地局が、
前記セットから選択された他のキャリアアグリゲーション構成についての再構成要求を送信することと、
前記セットから選択された前記他のキャリアアグリゲーション構成に基づく周波数間測定ギャップ要件を受信することと
を行うようにさらに構成された、請求項７９に記載の基地局。
【請求項８１】
前記基地局が、
周波数間測定ギャップ要件に基づいて周波数測定要求を送信することと、
前記測定要求が前記モバイル端末の論理的構成または物理的構成に適合しないとき、「適合不可」指示を受信することと
を行うようにさらに構成された、請求項７１に記載の基地局。
【請求項８２】
前記周波数間測定ギャップ要件をシグナリングすることは、前記モバイル端末がそれの上での通信が可能である通信帯域のサブセットを各帯域グループが備える、１つまたは複数の帯域グループをシグナリングすることを備える、請求項８１に記載の基地局。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年１１月８日に出願された「Inter-Frequency Measurement Control in a Multi-Carrier System」と題する仮出願第６１／４１１，３６５号の優先権を主張する。本特許出願はまた、本出願の譲受人に譲渡され、参照により本明細書に組み込まれる、２０１０年１２月１５日に出願された「Inter-Frequency Measurement Control in a Multi-Carrier System」と題する仮出願第６１／４２３，５２７号の優先権を主張する。
【０００２】
本発明の態様は、一般にワイヤレス通信に関し、詳細には、ワイヤレス通信システムにおける周波数間測定の制御のための方法および装置に関する。
【背景技術】
【０００３】
ワイヤレス通信システムは、ボイス、データなど、様々なタイプの通信コンテンツを提供するために広く展開されている。これらのシステムは、システムリソース（たとえば、帯域幅および送信電力）を共有することによって複数のユーザとの通信をサポートすることが可能な多元接続システムであり得る。
【０００４】
いくつかのワイヤレス通信システムでは、モバイル端末と基地局は、基地局からモバイル端末へのダウンリンクとモバイル端末から基地局へのアップリンクとの上で通信する。移動局は、異なる帯域上で、ただし、任意の時間にただ１つのアクティブ帯域上で、動作することが可能であり得る。その結果、モバイル端末は、それの動作能力内の他の帯域のチャネル品質を測定するためにアクティブ帯域上での通信を中断しなければならない。
【発明の概要】
【０００５】
マルチキャリア／マルチバンドワイヤレス通信システムにおいて測定ギャップについての要件を判断し、シグナリングするための技法が開示される。一態様では、モバイル端末が、１つまたは複数の周波数帯域を各々が備える１つまたは複数のキャリアアグリゲーション（ＣＡ：carrier aggregation）構成で動作する能力をシグナリングし、各ＣＡ構成について、モバイル端末によってサポートされる周波数帯域についてモバイル端末が前記各ＣＡ構成で動作するときの測定ギャップ要件の指示を与える。
【０００６】
一態様では、ＵＥは、１つまたは複数のＣＡ構成で動作する能力と測定ギャップ要件の指示とを含む能力メッセージを生成し、能力メッセージをサービング基地局に送る。
【０００７】
一態様では、ＵＥは、キャリアアグリゲーション構成のセットからキャリアアグリゲーション構成を選択するための構成コマンドを受信し、選択されたキャリアアグリゲーション構成中のキャリアに関連する通信帯域上で動作するための受信機リソースを割り当て、選択されたキャリアアグリゲーション構成に基づいて周波数間測定ギャップ要件をシグナリングする。
【０００８】
一態様では、ＵＥは、上記セットから選択された他のキャリアアグリゲーション構成についての再構成要求を受信し、上記サブセットから選択された他のキャリアアグリゲーション構成に基づいて周波数間測定ギャップ要件をシグナリングする。
【０００９】
一態様では、ＵＥは、周波数間測定ギャップ要件に基づく周波数測定要求を受信し、測定要求がモバイル端末の論理的構成または物理的構成に適合しないとき、「適合不可（cannot comply）」指示をシグナリングする。
【００１０】
一態様では、マルチキャリア動作のために構成された基地局が、モバイル端末から、１つまたは複数の周波数帯域を各々が備える１つまたは複数のキャリアアグリゲーション（ＣＡ）構成で動作する能力の指示を受信し、各ＣＡ構成について、モバイル端末によってサポートされる周波数帯域についてモバイル端末が前記各ＣＡ構成で動作するときの測定ギャップ要件の指示を受信する。
【００１１】
他の態様は、開示する技法を実行するための装置および製造品を含む。
【図面の簡単な説明】
【００１２】
【図１】例示的なワイヤレス通信システムを示す図。
【図２】例示的なワイヤレス通信システムのブロック図。
【図３】決定性測定ギャップ要件を用いた例示的な受信機構成を示す図。
【図４】図３の受信機構成に対応する例示的な測定ギャップ行列を示す図。
【図５Ａ】第１の構成における例示的なマルチバンドマルチ受信機デバイスを示す図。
【図５Ｂ】第２の構成における図５Ａの例示的なマルチバンドマルチ受信機デバイスを示す図。
【図６Ａ】別の例示的なマルチバンドマルチ受信機デバイスを示す図。
【図６Ｂ】第１の構成における図６Ａの例示的なマルチバンドマルチ受信機デバイスを示す図。
【図７】ＵＥが判断した測定ギャップ要件を示す例示的な表。
【図８】マルチキャリア環境における測定ギャップ能力の例示的なシグナリングおよび更新を示す流れ図。
【図９】マルチキャリア環境において測定ギャップ能力をシグナリングし、更新する追加の態様を示す流れ図。
【図１０】マルチキャリア環境において測定ギャップ能力をシグナリングし、更新するさらなる態様を示す流れ図。
【図１１Ａ】例示的なマルチバンドマルチ受信機デバイスを示す図。
【図１１Ｂ】図１１Ａのマルチバンドマルチ受信機デバイスについての例示的なＵＥ測定ギャップ要件を示す表。
【図１１Ｃ】例示的な測定ギャップ行列を示す図。
【図１１Ｄ】別の例示的な測定ギャップ行列を示す図。
【図１２Ａ】モバイル端末における例示的な方法を示すフローチャート。
【図１２Ｂ】モバイル端末における別の例示的な方法を示すフローチャート。
【図１３Ａ】基地局における例示的な方法を示すフローチャート。
【図１３Ｂ】基地局における例示的な方法を示すフローチャート。
【図１４】様々な開示する方法を実装することが可能な例示的なシステムのブロック図。
【図１５】様々な開示する方法を実装することが可能な通信装置の図。
【発明を実施するための形態】
【００１３】
以下の記述では、限定ではなく説明の目的で、様々な開示する態様の完全な理解を与えるために詳細および説明を記載する。ただし、様々な開示する態様は例示的であることと、これらの詳細および説明から逸脱する他の態様が実施され得ることとが、当業者には明らかであろう。
【００１４】
本明細書で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラムおよび／またはコンピュータであり得るが、これらに限定されない。
【００１５】
例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、１つまたは複数のデータパケット（たとえば、ローカルシステム、分散システム内の別の構成要素と対話する、および／またはインターネットなどのネットワーク上で信号を介して他のシステムと対話する、１つの構成要素からのデータ）を有する信号によるなど、ローカルプロセスおよび／またはリモートプロセスを介して通信し得る。
【００１６】
さらに、本明細書ではユーザ機器に関するいくつかの態様について説明する。ユーザ機器は、ユーザ端末と呼ばれることもあり、システム、加入者ユニット、加入者局、移動局、モバイルワイヤレス端末、モバイルデバイス、ノード、デバイス、遠隔局、リモート端末、端末、ワイヤレス通信デバイス、ワイヤレス通信装置またはユーザエージェントの機能の一部または全部を含んでいることがある。ユーザ機器は、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための別の処理デバイスであり得る。さらに、本明細書では基地局に関する様々な態様について説明する。基地局は、１つまたは複数のワイヤレス端末と通信するために利用され得る。基地局は、アクセスポイント、ノード、ノードＢ、発展型ノードＢ（ｅＮＢ）または何らかの他のネットワークエンティティの、機能の一部または全部を含んでいることがあり、この点において、概して「ネットワーク」と呼ばれることがある。基地局はまた、エアインターフェースを介してワイヤレス端末と通信する。通信は、１つまたは複数のセクタを通して行われ得る。
【００１７】
基地局は、受信したエアインターフェースフレームをインターネットプロトコル（ＩＰ）パケットに変換することによって、ワイヤレス端末と、ＩＰネットワークを含み得るアクセスネットワークの残部との間のルータとして働き得る。基地局はまた、エアインターフェースの属性の管理を調整し得、また、ワイヤードネットワークとワイヤレスネットワークとの間のゲートウェイであり得る。ＵＥへのネットワークコマンドは、それらがネットワーク中のどこで発生しても、１つまたは複数の基地局によってＵＥに通信されることを諒解されよう。
【００１８】
いくつかのデバイス、構成要素、モジュールなどを含み得るシステムに関して、本開示の様々な特徴および態様を提示する。様々なシステムは、追加のデバイス、構成要素、モジュールなどを含むことがあり、および／または各図に関連して論じるデバイス、構成要素、モジュールなどのすべてを含むとは限らないことがあることを理解されたい。これらの手法の組合せも使用され得る。
【００１９】
さらに、「例示的」という単語は、本明細書では、例、事例または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な方法で提示するものである。
【００２０】
本明細書で説明する技法はマルチキャリアワイヤレス通信システムにおいて実施され得る。１つの例示的なワイヤレス通信システムは、全システム帯域幅を、周波数サブチャネル、トーンまたは周波数ビンと呼ばれることもある複数（ＮF）個のサブキャリアに区分する直交周波数分割多重（ＯＦＤＭ）を利用し得る。まず、送信すべきデータ（すなわち、情報ビット）を特定のコーディング方式を用いて符号化してコード化ビットを生成し、コード化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量によって特徴づけられる、周波数選択性フェージングによって引き起こされたシンボル間干渉（ＩＳＩ）をなくすために、ＯＦＤＭが使用され得る。
【００２１】
概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク、ＤＬ）は基地局からワイヤレス端末への通信リンクを指すことができる。逆方向リンク（またはアップリンク、ＵＬ）は端末から基地局への通信リンクを指すことができる。マルチキャリアシステムでは、各ワイヤレス端末についてＤＬおよびＵＬ上で１つまたは複数のコンポーネントキャリア（ＣＣ：component carrier）が構成され得る。そのような構成は、対称（ワイヤレス端末が同数のダウンリンクコンポーネントキャリアとアップリンクコンポーネントキャリアとを有する）、または非対称（ワイヤレス端末が異なる数のダウンリンクキャリアとアップリンクキャリアとを有する）であり得る。次に、各ＣＣの送信モードが別個に構成され得る。
【００２２】
ＭＩＭＯ送信は、複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯ送信は改善された性能（たとえば、より高いスループットおよび／またはより大きい信頼性）を与えることができる。また、ＭＩＭＯは、時分割複信（ＴＤＤ）システムと周波数分割複信（ＦＤＤ）システムの両方においてサポートされる。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナが基地局で利用可能なとき、基地局は順方向リンク上で送信ビームフォーミング利得を抽出することが可能になる。
【００２３】
図１に、マルチキャリアワイヤレス通信システム１００を示す。基地局１０２が、複数のアンテナグループを含み得、各アンテナグループは、１つまたは複数のアンテナを備え得る。たとえば、基地局１０２が６つのアンテナを備える場合、あるアンテナグループが、第１のアンテナ１０４と第２のアンテナ１０６とを備え得、別のアンテナグループが、第３のアンテナ１０８と第４のアンテナ１１０とを備え得、第３のグループが、第５のアンテナ１１２と第６のアンテナ１１４とを備え得る。上記のアンテナグループの各々が２つのアンテナを有するものとして特定されたが、各アンテナグループ中でより多いまたはより少ないアンテナが利用され得ることに留意されたい。
【００２４】
第１のユーザ機器１１６は、第１の順方向リンク１２０を介した第１のユーザ機器１１６への情報の送信を可能にするために、たとえば、第５のアンテナ１１２および第６のアンテナ１１４と通信する。図示のように、例示的な第１の順方向リンク１２０は３つのコンポーネントキャリア（ＣＣ）を備え、例示的な第１の逆方向リンク１１８は１つのコンポーネントキャリアを含む。順方向リンク１２０と逆方向リンク１１８の両方におけるコンポーネントキャリアの数は、時間とともに変動することがあり、本例によって限定されない。たとえば、時々、基地局１０２は、それがサービスするマルチキャリアユーザ機器１１６、１２２について複数のアップリンクＣＣおよびダウンリンクＣＣを構成し、再構成し得る。
【００２５】
また、図１は、第２の順方向リンク１２６を介した第２のユーザ機器１２２への情報の送信と第２の逆方向リンク１２４を介した第２のユーザ機器１２２からの情報の受信とを可能にするために、たとえば、基地局１０２の第３のアンテナ１０８および第４のアンテナ１１０と通信している第２のユーザ機器１２２を示している。周波数分割複信（ＦＤＤ）システムでは、図１に示すコンポーネントキャリア１１８、１２０、１２４、１２６は、通信のための異なる周波数を使用し得る。たとえば、第１の順方向リンク１２０は、第１の逆方向リンク１１８によって使用される周波数とは異なる周波数を使用し得る。
【００２６】
アンテナの各グループおよび／またはそれらが通信するように設計されたエリアは、基地局１０２のセクタと呼ばれることがある。たとえば、図１に示すアンテナグループは、基地局１０２の異なるセクタ中でユーザ機器１１６、１２２と通信するように設計され得る。順方向リンク１２０および１２６上では、基地局１０２の送信アンテナは、異なるユーザ機器１１６および１２２に対して順方向リンクの信号対雑音比を改善するためにビームフォーミングを利用し得る。カバレージエリア全体にわたって点在するユーザ機器に送信するためのビームフォーミングの使用は、近隣セル中のユーザ機器に対する干渉の量を低減し得る。
【００２７】
例示的なマルチキャリア通信システム１００は、制御チャネルおよびトラフィックチャネルに分類される、論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣ：multicast control channel）を含み得る。概して、無線リソース制御（ＲＲＣ：radio resource control）接続を確立した後、ＭＣＣＨは、ＭＢＭＳを受信するユーザ機器によってのみ使用される。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を備え得る。また、マルチキャストトラフィックチャネル（ＭＴＣＨ）は、トラフィックデータのポイントツーマルチポイントダウンリンク送信のために使用され得る。
【００２８】
さらに、通信システムにおける様々な論理トランスポートチャネルはダウンリンク（ＤＬ）およびアップリンク（ＵＬ）に分類され得る。ＤＬトランスポートチャネルは、ブロードキャストチャネル（ＢＣＨ：broadcast channel）、ダウンリンク共有データチャネル（ＤＬ−ＳＤＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）、要求チャネル（ＲＥＱＣＨ：request channel）、アップリンク共有データチャネル（ＵＬ−ＳＤＣＨ：uplink shared data channel）、および複数の物理チャネルを含み得る。物理チャネルはまた、ダウンリンクチャネルとアップリンクチャネルとのセットを含み得る。
【００２９】
ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００３０】
さらに、様々な開示する態様について説明する際に以下の用語および特徴が使用され得る。
【００３１】
３ＧＰＰ                第３世代パートナーシッププロジェクト（3rd Generation Partnership Project）
ＡＭＣ                  適応変調コーディング（adaptive modulation and coding）
ＢＴＳ                  送受信基地局（base transceiver station）
ＣＣ                    コンポーネントキャリア（component carrier）
ＣＳＩ                  チャネル状態情報（channel state information）
ＣＱＩ                  チャネル品質インジケータ（channel quality indicator）
ＤＣＩ                  ダウンリンク制御情報（downlink control information）
ＤＦＴ−Ｓ−ＯＦＤＭ    離散フーリエ変換拡散ＯＦＤＭ（discrete Fourier transform spread OFDM）
ＤＬ                    ダウンリンク（基地局から加入者への送信）
Ｅ−ＵＴＲＡＮ          発展型ＵＭＴＳ地上波無線アクセスネットワーク（evolved UMTS terrestrial radio access network）
ｅＮＢ                  発展型ノードＢ（evolved Node B）
ＦＤＤ                  周波数分割複信（frequency division duplex）
ＬＴＥ                  ロングタームエボリューション（long term evolution）
ＭＩＭＯ                多入力多出力（multiple-input-multiple-output）
ＯＦＤＭＡ              直交周波数分割多元接続（orthogonal frequency division multiple access）
ＰＤＣＣＨ              物理ダウンリンク制御チャネル（physical downlink control channel）
ＰＤＳＣＨ              物理ダウンリンク共有チャネル（physical downlink shared channel）
ＰＭＩ                  プリコーディング行列インジケータ（precoding matrix indicator）
ＰＣＣ                  １次コンポーネントキャリア（primary component carrier）
ＰＵＣＣＨ              物理アップリンク制御チャネル（physical uplink control channel）
ＰＵＳＣＨ              物理アップリンク共有チャネル（physical uplink shared channel）
ＲＩ                    ランクインジケータ（Rank Indicator）
ＳＣＣ                  ２次コンポーネントキャリア（secondary component carrier）
ＳＩＭＯ                単入力多出力（single-input-multiple-output）
ＵＬ                    アップリンク
図２は、図１に記載されているものであり得る例示的なマルチキャリアワイヤレス通信システム２００の追加の態様を示すブロック図である。図示のように、システム２００は、（「送信機システム」、「アクセスポイント」、または「ｅノードＢ」とも呼ばれる）基地局２１０と（「ＵＥ」、「受信機システム」、または「アクセス端末」とも呼ばれる）ユーザ機器２５０とを備える。基地局２１０は送信機システムと呼ばれ、ユーザ機器２５０は受信機システムと呼ばれるが、図示のように、これらのシステムは双方向に通信することを諒解されよう。したがって、「送信機システム」および「受信機システム」という用語は、いずれかのシステムからの単一方向通信に限定されない。さらに、図２の基地局２１０およびユーザ機器２５０は、それぞれ複数の他の受信機システムおよび送信機システムと通信し得ることにも留意されたい。
【００３２】
基地局２１０において、いくつかのデータストリームのトラフィックデータがデータソース２１２から送信（ＴＸ）データプロセッサ２１４に与えられる。各データストリームは、それぞれの送信機システムを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを与える。各データストリームのコード化データは、たとえば、ＯＦＤＭ技法を使用してパイロットデータと多重化され得る。パイロットデータは、典型的には、知られている方法で処理される知られているデータパターンであり、チャネル応答を推定するために受信機システムにおいて使用され得る。各データストリームの多重化されたパイロットデータとコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（シンボルマッピング）されて、変調シンボルを与える。各データストリームのデータレート、コーディングおよび変調は、基地局２１０のプロセッサ２３０によって実行される命令によって判断され得る。
【００３３】
本例では、すべてのデータストリームの変調シンボルがＴＸ  ＭＩＭＯプロセッサ２２０に与えられ得、ＴＸ  ＭＩＭＯプロセッサ２２０は（たとえば、ＯＦＤＭのための）さらなる処理を実行することができる。ＴＸ  ＭＩＭＯプロセッサ２２０は、次いで、ＮT個の変調シンボルストリームをＮT個の送信機システムトランシーバ（ＴＭＴＲ）２２２ａ〜２２２ｔに与え得る。ＴＸ  ＭＩＭＯプロセッサ２２０は、さらに、データストリームのシンボルと、シンボルがそこから送信されているアンテナ２２４とにビームフォーミング重みを付与し得る。
【００３４】
基地局２１０におけるトランシーバ２２２ａ〜２２２ｔは、それぞれのシンボルストリームを受信し、処理して、１つまたは複数のアナログ信号を与え、さらに、それらのアナログ信号を調整して、送信に適した被変調信号を与える。いくつかのシステムでは、調整は、限定はしないが、増幅、フィルタ処理、アップコンバージョンなどの動作を含み得る。次いで、トランシーバ２２２ａ〜２２２ｔによって生成された被変調信号は、図２に示す基地局２１０のアンテナ２２４ａ〜２２４ｔから送信される。
【００３５】
ユーザ機器２５０において、その送信された被変調信号はアンテナ２５２ａ〜２５２ｒによって受信され得、受信機システムアンテナ２５２ａ〜２５２ｒの各々からの受信信号はそれぞれのトランシーバ（ＲＣＶＲ）２５４ａ〜２５４ｒに与えられる。ユーザ機器２５０における各トランシーバ２５４ａ〜２５４ｒは、それぞれの受信信号を調整し、調整された信号をデジタル化して、サンプルを与え、さらにそれらのサンプルを処理して、対応する「受信」シンボルストリームを与え得る。調整は、限定はしないが、増幅、フィルタ処理、ダウンコンバージョンなどの動作を含み得る。
【００３６】
ＲＸデータプロセッサ２６０が、トランシーバ２５４ａ〜２５４ｒからのシンボルストリームを受信し、特定の受信機処理技法に基づいて処理して、複数の「検出」シンボルストリームを与える。一例では、各検出シンボルストリームは、対応するデータストリームの送信されたシンボルの推定値であるシンボルを含むことができる。ＲＸデータプロセッサ２６０は、各検出シンボルストリームを復調し、デインターリーブし、復号して、対応するデータストリームのトラフィックデータを復元することができる。ＲＸデータプロセッサ２６０による処理は、基地局２１０におけるＴＸ  ＭＩＭＯプロセッサ２２０とＴＸデータプロセッサ２１４とによって実行される処理を補足するものであり得る。ＲＸデータプロセッサ２６０は、さらに、処理されたシンボルストリームをデータシンク２６４に与えることができる。
【００３７】
チャネル応答推定値が、ＲＸデータプロセッサ２６０によって生成され得、受信機システムにおいて空間／時間処理を実行し、電力レベルを調整し、変調レートまたは方式を変更し、および／または他の適切なアクションを実行するために使用され得る。さらに、ＲＸデータプロセッサ２６０は、さらに、検出シンボルストリームの信号対雑音比（ＳＮＲ）および信号対干渉比（ＳＩＲ）などのチャネル特性を推定することができる。ＲＸデータプロセッサ２６０は、次いで、推定されたチャネル特性をプロセッサ２７０に与えることができる。一例では、ユーザ機器のＲＸデータプロセッサ２６０および／またはプロセッサ２７０は、さらに、通信リンクおよび／または受信データストリームに関する情報を含み得る、チャネル状態情報（ＣＳＩ）を導出することができる。
【００３８】
ＣＳＩは、たとえば、チャネル状態に関する様々なタイプの情報を含み得る。たとえば、ＣＳＩは、ＭＩＭＯパラメータを判断するためのランクインジケータ（ＲＩ）および／またはプリコーディング行列インデックス（ＰＭＩ：precoding matrix index）、ならびに／あるいはデータレートと変調およびコーディング方式とを判断するために基地局２１０によって構成された各ＣＣについてのワイドバンドまたはサブバンドチャネル品質情報（ＣＱＩ：channel quality information）を含むことができる。プロセッサ２７０は、ユーザ機器２５０が使用するために構成されたキャリアのうちの１つまたは複数についてのＰＭＩ、ＣＱＩおよび／またはＲＩを含む、ＣＳＩ報告を生成することができる。
【００３９】
特に、（「チャネル品質インジケータ」とも呼ばれる）ＣＱＩは、ＵＥの受信機の信号対干渉雑音比（ＳＩＮＲ）および特性を考慮に入れて、構成されたコンポーネントキャリアの各々によってサポートされ得るデータレートを判断するために、基地局２１０によって使用され得る。ユーザ機器２５０において、プロセッサ２７０によって生成されたＣＱＩは、ＴＸデータプロセッサ２３８によって処理され、変調器２８０によって変調され、受信機システムトランシーバ２５４ａ〜２５４ｒによって調整され、基地局２１０に返信される。さらに、ユーザ機器２５０におけるデータソース２３６が、ＴＸデータプロセッサ２３８によって処理されるべき追加のデータを与えることができる。
【００４０】
ユーザ機器２５０は、空間多重化信号を受信し、処理することが可能であり得る。空間多重化は、送信機システムアンテナ２２４ａ〜２２４ｔ上で異なるデータストリームを多重化し、送信することによって、基地局２１０において実行され得る。これは、複数の送信機システムアンテナ２２４ａ〜２２４ｔから同じデータストリームが送られる送信ダイバーシティ方式の使用とは対照的である。空間多重化信号を受信し、処理するＭＩＭＯ通信システムでは、送信機システムアンテナ２２４ａ〜２２４ｔの各々から送信された信号が互いから十分に無相関化されることを保証するために、典型的には、プリコード行列が基地局２１０において使用される。この無相関化は、いずれかの特定の受信機システムアンテナ２５２ａ〜２５２ｒに到着したコンポジット信号が受信され得、他の送信機システムアンテナ２２４ａ〜２２４ｔからの他のデータストリームを搬送する信号の存在下で個々のデータストリームが判断され得ることを保証する。
【００４１】
ストリーム間の相互相関の量は環境の影響を受け得るので、ユーザ機器２５０が、受信信号に関する情報を基地局２１０にフィードバックすることが有利である。たとえば、基地局２１０とユーザ機器２５０の両方が、いくつかのプリコーディング行列をもつコードブックを含んでいることがある。これらのプリコーディング行列の各々は、いくつかの例では、受信信号中で受ける相互相関の量に関係し得る。特定の行列中の値ではなくその行列のインデックスを送ることが有利であるので、ユーザ機器２５０は、ＰＭＩ情報とともにＣＳＩ報告を基地局２１０に送り得る。また、空間多重化において何個の独立データストリームを使用すべきかを基地局２１０に示すランクインジケータ（ＲＩ）が送信され得る。
【００４２】
また、通信システム２００は、上記で説明した空間多重化方式の代わりに送信ダイバーシティ方式を利用することができる。これらの例では、同じデータストリームが送信機システムアンテナ２２４ａ〜２２４ｔ上で送信される。ユーザ機器２５０に配信されるデータレートは、一般に、空間多重化ＭＩＭＯ通信システム２００よりも低い。送信ダイバーシティ方式は、通信チャネルのロバストネスおよび信頼性を与えることができる。送信機システムアンテナ２２４ａ〜２２４ｔから送信された信号の各々は、異なる干渉環境（たとえば、フェージング、反射、マルチパス位相シフト）を受けることになる。受信機システムアンテナ２５２ａ〜２５４ｒにおいて受信された異なる信号特性は、適切なデータストリームを判断する際に有用であり得る。
【００４３】
他の例は、空間多重化と送信ダイバーシティとの組合せを利用し得る。たとえば、４つのアンテナ２２４をもつシステムでは、第１のデータストリームがそれらのアンテナのうちの２つの上で送信され得、第２のデータストリームが残りの２つのアンテナ上で送信され得る。これらの例示的なシステムでは、ランクインジケータは、プリコード行列のフルランクよりも小さい整数に設定され、空間多重化と送信ダイバーシティとの組合せを採用することを基地局２１０に示し得る。
【００４４】
ユーザ機器２５０は、キャリアアグリゲーションモードで複数の周波数ダイバースキャリアにおいて信号を受信し、処理することも可能であり得、その場合、トランシーバ２５４ａ〜２５４ｒのうちの１つまたは複数が、２つ以上の周波数帯域の間でそのトランシーバの動作周波数を変更することが可能であり得る。
【００４５】
基地局２１０において、ユーザ機器２５０からの被変調信号は、送信機システムアンテナ２２４によって受信され、トランシーバ２２２によって調整され、復調器２４０によって復調され、ＲＸデータプロセッサ２４２によって処理されて、ユーザ機器２５０によって送信された逆方向リンクメッセージが抽出される。次いで、基地局２１０におけるプロセッサ２３０は、将来の順方向リンク送信のためにどのプリコーディング行列を使用すべきかを判断し得る。プロセッサ２３０はまた、将来の順方向リンク送信のためのビームフォーミング重みを調整するために受信信号を使用することができる。
【００４６】
基地局２１０におけるプロセッサ２３０およびユーザ機器２５０におけるプロセッサ２７０は、それらのそれぞれのシステムにおける動作を指示し得る。さらに、基地局２１０におけるメモリ２３２およびユーザ機器２５０におけるメモリ２７２は、それぞれ送信機システムプロセッサ２３０および受信機システムプロセッサ２７０によって使用されるプログラムコードおよびデータの記憶を可能にすることができる。さらに、ユーザ機器２５０において、ＮR個の受信信号を処理して、ＮT個の送信シンボルストリームを検出するために、様々な処理技法が使用され得る。これらの受信機処理技法は、等化技法を含むことができる空間および時空間受信機処理技法、「逐次ヌル化／等化および干渉消去」受信機処理技法、ならびに／または「逐次干渉消去」もしくは「逐次消去」受信機処理技法を含むことができる。引き続きＵＥ、ｅＮＢ、およびネットワークへの言及は、本開示全体にわたって図１および図２の対応するエンティティに適用可能であるものとして理解されよう。
【００４７】
ＵＥ２５０などのマルチキャリアユーザ機器は、１つまたは複数の周波数帯域に同調可能な１つまたは複数の受信機で構成され得る。受信機の特定の構成に応じて、ＵＥは、サービングセルからのまたは隣接セルからの別の周波数帯域を測定するために、ＵＥの現在のサービングセルの周波数帯域から離調する必要があり得る。そのような測定値は、たとえば、キャリア上で接続を確立する前にキャリアチャネルの品質を査定するために、必要とされ得る。それらの測定値は、たとえば、基準信号受信電力（ＲＳＲＰ：reference signal received power）測定値およびキャリア受信信号強度指示（ＲＳＳＩ：received signal strength indication）を含み得、セル内帯域切替えおよびセル間ハンドオフ決定を円滑にし、最適化するために、無線リソース管理方式の一部として使用され得る。ＵＥがそれのサービングセルから離調される間の時間期間は「測定ギャップ」と呼ばれる。
【００４８】
所与のＵＥ受信機アーキテクチャおよび所与のサービング帯域の場合、ＵＥは、ターゲット測定帯域についての測定ギャップを必要とすることも必要としないこともある。測定ギャップの必要性は、たとえば、ＵＥ中の各受信機が一度に１つの帯域のみに同調され得るという制約の下で、２つの帯域（サービングおよび測定）がＵＥ中の同じ受信機によってサポートされるのかＵＥ中の異なる受信機によってサポートされるのかに依存し得る。
【００４９】
図３に、受信機１が帯域Ｘまたは帯域Ｙに同調され得るマルチバンド受信機であり、受信機２が帯域Ｚのみに同調可能な１バンド受信機である、２つの受信機、受信機１および受信機２をもつＵＥ３００についての例示的な場合を示す。この例では、ＵＥ３００が帯域Ｘ中でサービスされている場合、受信機１は、帯域Ｙを測定するために帯域Ｘから帯域Ｙに同調するための測定ギャップを必要とするであろう（その逆も同様）。対照的に、ＵＥ３００が帯域Ｘまたは帯域Ｙ中でサービスされている場合、ＵＥ３００は、帯域Ｘまたは帯域Ｙ上でのサービスを中断することなしに帯域Ｚを測定することができ、その結果、測定ギャップは必要とされない。
【００５０】
これらの関係は、（たとえば、フィールド「ｉｎｔｅｒＦｒｅｑＮｅｅｄＦｏｒＧａｐｓ」中で）ＵＥのネットワーク登録された能力中に含まれているフラグの行列によって示され得、その場合、サポートされる帯域の各ペアについてフラグが与えられる。図４に、図３に対応する行列を示し、１は、測定ギャップが必要とされることを示し、０は、測定ギャップが必要とされないことを示す。
【００５１】
このレベルのシグナリングは、各受信機におけるサポートされる帯域が独立している場合の測定ギャップの必要性をキャプチャすることができる。このレベルのシグナリングはまた、各キャリアが単一の受信機によってサポートされる、ＬＴＥ  Ａｄｖａｎｃｅｄについて提案されるキャリアアグリゲーション環境において十分である。しかしながら、共通の少なくとも１つの帯域に同調可能である複数の受信機を有するＵＥの場合（たとえば、１つの受信機は帯域Ａ、Ｂ、Ｃをサポートし、第２の受信機は帯域Ｃ、Ｄ、Ｅをサポートする）、その機構は、より高い精度で測定ギャップの必要性をキャプチャするように変更され得る。一例として、図５Ａおよび図５Ｂに示すように、受信機１が帯域Ａ、Ｂ、およびＣをサポートし、受信機２が帯域Ｃ、Ｄ、およびＥをサポートし、帯域Ｃがアクティブである（すなわち、帯域Ｃがサービングセル帯域である）、２つの受信機をもつＵＥ５００について考える。
【００５２】
図５Ａでは、ＵＥ５００は、受信機１を使用して帯域Ｃで構成される。ＵＥ５００は、受信機２を使用して、測定ギャップなしに帯域ＤおよびＥを測定することができるが、帯域ＡおよびＢを測定するために測定ギャップを必要とする。図５Ｂでは、状況は逆である。アクティブ帯域Ｃに受信機２を使用することによって、ＵＥ５００は、測定ギャップの必要なしに帯域ＡおよびＢを測定することができるが、帯域ＤおよびＥの測定のために測定ギャップを必要とする。この単純な例は、図４の手法が、２つ以上の受信機上の（帯域Ｃなどの）共通の帯域の存在を考慮していないので、その手法が十分でないことがある場合を示している。
【００５３】
概して、デュアル受信機の場合、サービング帯域が複数の受信機によってサポートされ、測定帯域がただ１つの受信機によってサポートされるとき、あいまいさが生じることがある。ＬＴＥ  Ｒｅｌ−８などのシングルキャリアシステムでは、ＵＥは、ギャップが常に必要とされることをシグナリングし、ギャップが必要とされない場合でもギャップを割り当てることから生じるユーザスループットの増分コストを許容することがある。代替的に、ＵＥが、ある受信機から別の受信機にサービング帯域を動的に再割り当てすることが可能である場合、ＵＥは、ギャップが決して必要とされないことをシグナリングし得る。ただし、本明細書で説明するように、ＵＥは、マルチキャリア環境において（２つより多い）帯域の異なる組合せについての測定ギャップ要件をシグナリングする必要があり得る。
【００５４】
たとえば、ＵＥは、それのサポートされる帯域をグループのリスト中で示し得、各グループは、同じグループ中の帯域は測定のためのギャップを必要とし、異なるグループ中の帯域はそのギャップを必要としないという、性質を有する。帯域Ｘ上で動作しているＵＥが、帯域Ｙを測定するためにギャップを必要とする場合のみ、そのギャップを必要とし、また、帯域Ｙ上で動作している間、帯域Ｘを測定するためにギャップを必要とする、対称関係が仮定され得る。概して、これらの「グループ」は、別個の受信機に対応するが、ＵＥの固有の能力に基づく論理的グループをも表し得る。たとえば、特定のＵＥのアーキテクチャは、帯域のいくつかのペアが異なる受信機上に常駐する場合でも、それらのペアがギャップを必要とすることを規定し得る。しかしながら、別のＵＥ実装形態は、（たとえば、上記で説明したようにおよび以下でさらに詳細に説明するように、ある受信機から別の受信機にアクティブ帯域を動的に切り替えることによって）ギャップの必要なしに単一の受信機内でいくつかの帯域間測定を実行することが可能であり得る。
【００５５】
再び図５Ａおよび図５Ｂを参照すると、たとえば、ＵＥは、帯域サポートを２つのグループ、すなわち、｛Ａ，Ｂ，Ｃ｝および｛Ｃ，Ｄ，Ｅ｝としてシグナリングし得、その場合、シグナリングフォーマットは、データ値のリストを表す様々なよく知られている方法のいずれかであり得る。
【００５６】
シグナリングされたグループが独立している場合（すなわち、共通の帯域がなく、図５Ａおよび図５Ｂの場合ではない）、シグナリングは、上記で説明したフォーマットと同等であり得、同じグループ中の帯域のペアの場合は１の値（「真」。測定のためにギャップが必要とされることを示す）がシグナリングされ、異なるグループ中の帯域のペアの場合は０（「偽」。ギャップが必要とされないことを示す）がシグナリングされる。しかしながら、図５Ａおよび図５Ｂの例の場合のように、グループが重複する場合、ギャップの必要性は、２つの受信機のうちのどちらが共通の帯域（たとえば、図５Ａおよび図５Ｂの例における帯域Ｃ）に割り当てられるかに基づいて変化し得る。
【００５７】
以下は、アクティブキャリアの特定の構成をもつＵＥが異なる帯域中の追加のキャリアに対して測定を行うときに測定ギャップが必要とされるかどうかを判断するための例示的な方法の説明である。
【００５８】
ケース１：測定される帯域が、少なくとも１つのアクティブキャリアを含んでいるグループにおいて発生しない場合、ギャップは必要とされない。
【００５９】
ケース２：帯域グループが独立しており、測定される帯域が、アクティブキャリアを含んでいるグループにおいて発生する場合、ギャップは必要とされる。
【００６０】
ケース１もケース２も当てはまらない場合、測定される帯域は、少なくとも１つのアクティブキャリアをもつグループを共有し、測定ギャップが必要とされるかどうかを判断するための追加情報が必要とされ得る。再び図５Ａおよび図５Ｂの例を参照すると、帯域Ａがアクティブであり、帯域Ｃが測定されるべきである場合、ギャップは、受信機２がアクティブ帯域を有する場合（たとえば、帯域ＤまたはＥがアクティブである場合）のみ必要とされる。
【００６１】
マルチキャリアシステムでは、ＵＥの動作帯域は、特定の帯域が、ある時間期間中にアクティブであり、別の時間期間中に非アクティブであり（非アクティブにされ）得るように、（たとえば、ＲＲＣシグナリングによって）動的にまたは半静的に構成され得る。本開示によれば、ＵＥは、それの構成変更としてＵＥの示された測定能力を動的に更新し得る。この手法では、示された帯域サポートは、ＵＥの特性の静的セットではなく、ＵＥの現在の構成に応じてＵＥの能力を反映する。一例として、図６Ａに示すように、受信機１が帯域Ａ、ＢおよびＣをサポートし、受信機２が帯域Ｃ、ＤおよびＥをサポートし、受信機３が帯域Ａ、ＤおよびＦをサポートする、サポートされる帯域の異なるセットを有する３つの受信機をもつＵＥ６００について考える。
【００６２】
たとえば、ＵＥ６００が帯域ＢおよびＤ上で動作するように構成されたと仮定する。帯域Ｂは受信機１を占有し、帯域Ｄは、ＵＥ６００によって受信機２または受信機３のいずれかに割り当てられ得る。ＵＥ６００は、サービスエリア中で使用中であることが知られている帯域のセットなどの特定の基準に基づいて、割り当てられる受信機を選択し得る。たとえば、ＵＥ６００は、ネットワークがサービスエリア中で帯域Ｆを使用するというメッセージを基地局から受信した場合、測定ギャップなしに帯域Ｆを測定するために（および／または後で帯域Ｆ上でアクティブモードにされるように）受信機３を解放されたままにしておくために、帯域Ｄを受信機２に割り当て得る。この場合、ＵＥ６００の構成は、帯域Ｂが受信機１上でアクティブであり、帯域Ｄが受信機２上でアクティブである、図６Ｂに示すような構成であろう。
【００６３】
図６Ｂの構成では、ＵＥ６００は、受信機３を使用してギャップなしに帯域ＡおよびＦを測定することができるが、（受信機１または受信機２上の）帯域Ｃおよび（受信機２のみの上の）帯域Ｅを測定するためのギャップを必要とする。ＵＥは、この情報を、サポートされる帯域のためのフラグの単一のリストとして、サービングセルを介してネットワークにシグナリングすることができ、各フラグは、現在の構成において測定ギャップが必要とされるかどうかを示し、サービングセルはアクティブ帯域上でＵＥ６００とすでに通信しているので、アクティブ帯域の報告が省略され得ることに留意されたい。図７は、この例でＵＥがシグナリングし得る情報を示す表７００である。表７００は、ＵＥ６００によってサポートされる各固有帯域について１つのエントリを含んでおり、測定ギャップが、必要とされるのか（帯域ＣおよびＣ）、必要とされないのか（帯域ＡおよびＦ）、または帯域がアクティブであるので省略されるのか（帯域ＢおよびＤ）を示している。
【００６４】
アクティブキャリアのセットが変化するとき、またはＵＥ６００が（たとえば、帯域Ｄ上での動作を受信機２から受信機３に移すことによって）内部リソースを再割り当てするとき、この情報は更新され得る。図８は、ＵＥとｅノードＢ（ｅＮＢ）との間の無線リソース制御（ＲＲＣ）接続の確立時に測定ギャップ能力をシグナリングし、更新するための例示的な方法を示すハイレベル流れ図８００である。
【００６５】
動作８０２において、ＲＲＣ接続を確立する。動作８０４において、ＵＥは、それの現在の構成についてのＵＥの測定ギャップ要件を含めて、ＵＥの能力をｅノードＢにシグナリングする。動作８０６において、ｅノードＢは、ＵＥを（たとえば、図６Ｂに示した）マルチキャリア構成に再構成する。また、動作８０８において、ＵＥは、マルチキャリア構成に基づいてＵＥの測定ギャップ要件を更新する。次いで、動作８０６および８０８は、ＵＥのキャリア構成がｅノードＢによって再構成されるときはいつでも、反復され得る。
【００６６】
ＵＥの測定ギャップ要件の更新は、（たとえば、ＬＴＥ  Ｒｅｌ−８のために定義された「ＩｎｔｅｒＦｒｅｑＮｅｅｄＦｏｒＧａｐｓ」フィールドを使用して）シングルキャリアシステムにおいてＵＥ能力のシグナリングを反復することによってシグナリングされ得、ｅノードＢによってＵＥに送信されたネットワークからの再構成コマンドによってトリガされ得る。代替的に、既存の再構成メッセージの拡張として、新しいシグナリングモードが与えられ得る。たとえば、ＵＥの測定ギャップ要件は、既存のＬＴＥ  Ｒｅｌ−８  ＲＲＣプロトコルにおいて再構成プロシージャを終える「ＲＲＣＣｏｎｎｅｃｔｉｏｎＲｅｃｏｎｆｉｇｕｒａｔｉｏｎＣｏｍｐｌｅｔｅ」メッセージ中でシグナリングされ得る。
【００６７】
上述のように、ＵＥの測定ギャップ要件は、（たとえば、異なる受信機に特定の帯域の受信を再割り当てするという内部ＵＥ決定により）ｅノードＢからの再構成コマンドなしに変化し得る。したがって、方法８００の動作８０８はＵＥによって独立してトリガされ得る。ＵＥは、たとえば、新しいメッセージ、またはＬＴＥ  Ｒｅｌ−８において定義された既存の「ＵＥＣａｐａｂｉｌｉｔｙＩｎｆｏｒｍａｔｉｏｎ」メッセージの拡張を使用し得る。
【００６８】
この手法の一態様は、ＵＥがキャリアアグリゲーション構成になく、したがって新しい情報の転送がこの基本構成を補足するとき、この態様がＬＴＥ  Ｒｅｌ−８の「レガシー」機構をサポートすることができることである。特に、上記で説明した修正された「帯域グループ」シグナリングは、シングルキャリア／レガシーモード動作で回避され得る。ＵＥの受信機実装形態の構造を反映する帯域グループのリストをシグナリングするのではなく、ＵＥは、それの現在の能力の動的に更新されたステートメントを与え得る。
【００６９】
ネットワークは、より詳細な情報の転送なしに、上記で説明した「グループ」シグナリングを受信したとき、ギャップの必要性に関する「悲観的」仮定またはギャップの必要性に関する「楽観的」仮定のいずれかを行い得る。「悲観的」見解は、測定ギャップが必要とされ得る場合、ネットワークが、ギャップが必要とされると仮定することである。特に、測定されるべき帯域がいずれかのアクティブ帯域とともにいずれかのシグナリングされたグループに現れる場合、ネットワークによって測定ギャップが割り振られることになる。
【００７０】
再び、図６Ｂに示したＵＥ６００を参照すると、ＵＥ６００が、まず帯域Ｂ上で接続モードにされ、次いで両方ともアクティブな帯域Ｂと帯域Ｄとをもつキャリアアグリゲーション（デュアルキャリア）構成にされると仮定する。ＲＲＣ接続が確立されるときに、ＵＥ６００は、（３つの受信機の帯域能力を反映する）それの帯域サポートグループを示し得、ネットワークは、ギャップがいつ必要とされることになるかを推論するために、接続の持続時間にわたってこの情報を使用することができる。たとえば、接続が確立された直後に、ネットワークは、グループ１が帯域Ｂ中のキャリアの割当てによって「占有」されたと考え得、また、受信機１グループ中の他の帯域（すなわち、帯域ＡおよびＣ）が別の受信機（たとえば、図６Ｂ中の受信機３）によってサポートされる場合でも、その帯域の測定はギャップを必要とすることになり、他のサポートされる帯域（Ｄ、ＥおよびＦ）の測定は測定ギャップを必要としないことになると仮定し得る。
【００７１】
悲観的仮定の下で（帯域Ｄ中の）第２のキャリアが追加されるとき、ネットワークは、グループ１が帯域Ｂによって占有されることになり、グループ２が帯域Ｄによって占有されることになり、グループ３が帯域Ｄによって占有されることになると考えることになる。その結果として、あらゆるグループが占有されることになると仮定されるので、すべての周波数間測定がギャップを必要とすると仮定されることになる。この仮定は、明らかに必要以上に悲観的である。ネットワークは、帯域Ｄがグループ（受信機）２に割り当てられていたことを知っていた場合、帯域ＡおよびＦがギャップなしに測定可能であろうと推論し得るが、この情報がない場合に、ネットワークは、帯域Ｄ割当てが、グループ２またはグループ３のいずれかに対するギャップなし測定と干渉し得ると仮定し得る。
【００７２】
図９に、対応する流れ図９００を示す。動作９０２において、帯域Ｂ上でＵＥとｅノードＢとの間に接続を確立する。動作９０４において、ＵＥは、ｅノードＢを介してＵＥのグループ構成をネットワークにシグナリングし、ネットワークは、（帯域Ａがグループ３中で利用可能であり、帯域Ｃがグループ２中で利用可能であるが）帯域ＡおよびＣのために測定ギャップが必要とされると仮定する。動作９０６において、ｅノードＢは、ネットワークからの再構成コマンドを送信し、帯域Ｄを追加するようにＵＥを再構成し、ネットワークは、帯域Ｄがグループ２またはグループ３のいずれかの上でアクティブであり得るので、グループ１に加えてグループ２およびグループ３が占有されると仮定する。この悲観的手法は、必要以上に慎重である。たとえば、ＵＥ中のすべての受信機が同じである（すなわち、同じ帯域をサポートする）場合、この方式は、どの単一の帯域もすべての同じグループを占有すると仮定されるので、あらゆる場合においてすべての周波数間測定についてギャップを割り振ることになる。
【００７３】
代替的に、ネットワークは、ＵＥが、可能なときはいつでもギャップなしに測定を実行するためにリソースのインテリジェント再割当てを実行することができると仮定し得る。再び、受信機１が帯域Ｂに割り当てられ、受信機２が帯域Ｄに割り当てられた、図６Ｂの例を参照すると、ＵＥは（受信機３を使用して）帯域ＡおよびＦに対してギャップなしに測定することができるが、帯域Ｃに対する測定はギャップを必要とする。しかしながら、ＵＥは、帯域Ｃを測定する必要がある場合、帯域Ｄを受信機３に再割り当てし、それにより受信機２を解放して、ギャップの必要なしに測定を実行することができる。
【００７４】
ネットワークがＵＥの側のこのインテリジェント挙動を仮定する（またはＵＥがそれの能力をネットワークにシグナリングする）場合、ネットワークは、測定ギャップを構成し、アクティブにすることなしに、帯域Ｃを測定するようにＵＥを安全に構成することができる。
【００７５】
図１０に、この「楽観的」仮定についての対応する流れ図１０００を示す。動作１００２において、ネットワークは、帯域Ｂ上でｅノードＢとＵＥとの間に接続を確立する。動作１００４において、ＵＥは、ｅノードＢを介してＵＥのグループ構成をネットワークにシグナリングし、ネットワークは、グループ２が、帯域Ｂをサポートする唯一のグループであるので、そのグループのみが占有されることを知る。動作１００６において、ｅノードＢは、ネットワークからの再構成コマンドを送信し、帯域ＤをアクティブにするようにＵＥを再構成し、ネットワークは、ＵＥが、帯域Ｄをグループ２またはグループ３のいずれかに動的に割り当てることができ、その結果、帯域Ａ、Ｃ、ＥまたはＦの測定のために測定ギャップが必要とされないと仮定する。事実上、ネットワークは、測定されるべき帯域が少なくとも１つの非割当てグループ中に含まれるように、アクティブ帯域と示されたグループとの１対１マッピングがある場合、ギャップは必要とされない、というルールを適用している。
【００７６】
以下の表１に、図６に示したＵＥ構成のための帯域の例示的なマッピングを示し、また、異なる受信機に帯域を動的に再割り当てすることができるＵＥが、すべての帯域に対するギャップなしの測定をどのように可能にするかを示す。
【表１】
0005705995.tif 000002
【００７７】
この手法は、ＵＥとネットワークとが両方とも、そのようなマッピングが存在するかどうかを判断する能力を有するとき、サポートされ得る。その能力が存在する場合、ネットワークは測定ギャップを構成しないことになり、ＵＥは、ネットワークとの不整合を回避するために、（説明した例の場合、必要に応じて受信機２と受信機３との間で帯域Ｄを移動させて）リソースの動的再割当てを実行し得る。
【００７８】
（基地局２１０などの）基地局と（ユーザ機器２５０などの）ＵＥとは標準キャリアアグリゲーション（ＣＡ）構成のセットを共有し得る。ＣＡ構成のセットを使用して、ＵＥは、異なる測定シナリオをサポートするＵＥの能力を報告し得る。たとえば、最高５つのアグリゲートされたキャリアをサポートするワイヤレス通信システムでは、ＵＥは、帯域Ａ、Ｂ、Ｃ、ＤおよびＥ中の２つ、３つ、４つおよび５つのキャリアを備える４つのあらかじめ決定されたＣＡ構成を定義する、複数のフラグを含む、テーブルまたは他のデータ構造を与え得、その場合、各キャリアは、以下の表２に示すように、２０ＭＨｚ帯域幅を有する。多くの異なる構成が定義され得ることと、本明細書で開示する実施形態は与えられる例に限定されないこととを諒解されよう。
【表２】
0005705995.tif 000003
【００７９】
ＵＥは、たとえば、構成１および２のみをサポートすることができる場合、｛１，１，０，０｝など、サポートされる構成を識別するための４ビットフラグを使用して（たとえば、「ＵＥＣａｐａｂｉｌｉｔｙＩｎｆｏｒｍａｔｉｏｎ」メッセージを使用して）その能力をシグナリングし得る。このシグナリングは、たとえば、キャリアＡ、ＢおよびＣの各々のうちの少なくとも異なる１つを各受信機がサポートする少なくとも３つの受信機をＵＥが有することを搬送し得る。ただし、このシグナリングは、ＵＥ中の受信機の数または各受信機によってサポートされる帯域に関して追加情報を与えないであろう。特に、それは、要求された帯域測定を実行するときのＵＥ固有ギャップ要件に関する情報を搬送しないであろう。
【００８０】
たとえば、ネットワークが、ＵＥを構成１（帯域ＡおよびＢ）において構成し、次いで帯域Ｄの測定を要求する場合、ネットワークは、ＵＥ能力「ＩｎｔｅｒＦｒｅｑＮｅｅｄＦｏｒＧａｐｓ」メッセージ中で（たとえば、図８に示したように）構成依存シグナリングを見ることがある。ＵＥが、帯域Ａ上でアクティブである間にギャップなしに帯域Ｄを測定することができ、帯域Ｂ上でアクティブである間にギャップなしに帯域Ｄを測定することができることを報告した場合、ネットワークは、帯域Ｄが帯域ＡまたはＢとは異なる受信機上にあるにちがいないと判断し、ＵＥの物理的アーキテクチャに関する仮定に基づいて、帯域Ｄを測定するためにギャップが必要とされないと判断することができる。しかしながら、その仮定は、間違っており、不必要に限定的であり得る。たとえば、帯域ＤはＵＥ中の２つの受信機上でサポートされ得、帯域Ｄは、単に、２つの受信機のうちのただ１つが使用中である限り、ギャップなしに測定され得る。ＵＥのシグナリングされた能力のあいまいさを解決するために、単純な構成能力リスト以外に追加のシグナリングが利用され得る。
【００８１】
次に図１１Ａを参照すると、本例ではＵＥ１１００が、受信機１（ＲＸ１）が帯域Ａ、ＢおよびＣをサポートし、受信機２（ＲＸ２）が帯域Ｂ、ＤおよびＥをサポートし、受信機３（ＲＸ３）が帯域Ｃ、ＤおよびＥをサポートし、受信機４（ＲＸ４）が帯域Ｆをサポートする、構成を有すると仮定される。前に定義されたＣＡ構成に関して、例示的なＵＥは、帯域ＡにはＲＸ１を使用し、帯域ＢにはＲＸ２を使用して、構成１が可能である。ＵＥは、ＲＸ３上で帯域Ｃを追加することによって構成２も可能である。しかしながら、例示的なＵＥは、帯域Ｂまたは帯域Ｃを中断することなしに帯域Ｄを追加することができないので、構成３をサポートすることができない。また、ＵＥは、帯域Ｃまたは帯域Ｄを中断することなしに帯域Ｅを追加することができないので、構成４をサポートすることもできない。
【００８２】
図１１ＡのＵＥは、上記で説明したように、構成１、２、３および４にそれぞれ対応する４フラグビットを使用して、ＵＥのＣＡ能力をシグナリングすることができる。この例では、フラグビットは前述のように｛１，１，０，０｝であろう。ＵＥは、図１１Ｂに示すように、サポートされるＣＡ構成中にない帯域を含む、ＵＥがサポートすることができる構成の各々に対応する測定ギャップについてのＵＥの必要性をもシグナリングすることができる。構成１では、帯域Ｃ、Ｄ、ＥおよびＦが、独立した未使用の受信機（ＲＸ３およびＲＸ４）上に常駐するので、ＵＥはギャップなしにそれらの帯域を測定することができる。構成２では、帯域Ｆが未使用の受信機ＲＸ４上に常駐するので、ＵＥはギャップなしにその帯域を測定することができる。帯域Ｄと帯域Ｅの両方が、アクティブ帯域Ｂと受信機ＲＸ２を共有し、アクティブ帯域Ｃと受信機ＲＸ３を共有するので、ＵＥは、帯域ＤおよびＥを測定するためにギャップを必要とする。アクティブ帯域Ａの唯一のインスタンスがＲＸ１上に常駐するので、帯域ＢおよびＣはＲＸ１に切り替えられることができない。
【００８３】
この例では、ＵＥは、それの能力内のＣＡ構成の各々に対応するギャップ要件のセットをシグナリングし、ならびにＣＡ構成から独立した個々の帯域対帯域の測定ギャップについてのＩｎｔｅｒＦｒｅｑＮｅｅｄＦｏｒＧａｐｓ行列をシグナリングする。たとえば、ＵＥは、ネットワークとの最初の能力交換の一部として、または再構成コマンドに応答して、各サポートされるＣＡ構成についてのギャップ要件をシグナリングし得る。
【００８４】
図１１Ｃに、図１１ＡのＵＥ１１００についての例示的な行列を示す。図示のように、帯域のペアが単一の受信機に限定されていないので、このＵＥについてペアワイズ(pair-wise)エントリのすべてが０（ギャップが不要）である。
【００８５】
また、ＵＥが再構成されるときはいつでも、ＵＥの能力内の他のＣＡ構成についての現在のＩｎｔｅｒＦｒｅｑＮｅｅｄＦｏｒＧａｐｓ行列を定義することが可能である。これらの行列は、ＵＥの報告された能力の一部として、またはＵＥが再構成されるときにオンザフライで、ネットワークに登録され得る。たとえば、ネットワークが、帯域Ｂ、ＣおよびＦがアクティブである構成を要求する場合、ＵＥは、いくつかの異なる方法でそれ自体を構成することによって適合することができ、ＵＥが選択した構成とＵＥの帯域と受信機との整合の動的変化を行うためのＵＥの能力とに基づいて、ＵＥの測定ギャップ要件をシグナリングすることができる。たとえば、ＵＥが、帯域ＢをＲＸ１に割り当て、帯域ＣをＲＸ３に割り当て、帯域Ｆを（やむを得ず）ＲＸ４に割り当てることを選択し、それらの割当てが静的であると仮定する。図１１Ｄに、対応する行列を示す。ＵＥが帯域Ｂと帯域Ｃと帯域Ｆとの組合せをサポートするために異なる構成を選択し得ることを諒解されよう。たとえば、ＵＥは、ＲＸ１の代わりにＲＸ２に帯域Ｂを割り当て得る。その場合、ＵＥが異なる測定ギャップ行列をシグナリングするであろうことを諒解されよう。ＵＥは、受信機への帯域の動的再割当てが可能である場合、異なる行列をまたシグナリングするであろう。
【００８６】
ＵＥによって与えられるシグナリングは、ＵＥの物理的アーキテクチャおよび論理的アーキテクチャとＵＥの固有の能力（たとえば、動的切替え）とに依存し得る。これは、ＵＥの能力内のあらかじめ定義されたＣＡ構成にも適用される。
【００８７】
しかしながら、シグナリングストラテジがＵＥの能力に少なくとも部分的に依存するので、ネットワークは、ＵＥにとって不可能な構成を要求し得る。したがって、ＵＥは、構成が達成されることができないこと、指定された構成のために測定ギャップが必要とされること、または要求された測定がまったく実行されることができないことを示す応答で、ネットワーク再構成または測定要求（たとえば、「ＭｅａｓｕｒｅｍｅｎｔＣｏｎｆｉｇ」）に応答するように構成され得る。
【００８８】
図１２Ａは、ＵＥ２５０などのモバイル端末における例示的な方法１２００Ａを示すフローチャートである。本方法は動作１２０２において開始し、ＵＥが、１つまたは複数の周波数帯域を各々が備える１つまたは複数のキャリアアグリゲーション（ＣＡ）構成で動作する能力をシグナリングする。動作１２０４において、ＵＥは、ＣＡ構成の各々で動作するときのＵＥの測定ギャップ要件の指示を与えることができる。測定ギャップ要件は、ＵＥによってサポートされる周波数帯域のすべてまたはサブセットを含むことができる。一例として、所与のＣＡ構成の場合、ＵＥは、それのサポートされる周波数帯域のすべてに関して、またはＣＡ構成の外の周波数帯域に関してのみ、測定ギャップ要件を報告することができる。動作１２０６において、ＵＥは、１つまたは複数のＣＡ構成で動作する能力と測定ギャップ要件の指示とを含む能力メッセージを生成する。動作１２０８において、ＵＥは、能力メッセージをサービング基地局に送る。
【００８９】
図１２Ｂは、ＵＥ２５０などのモバイル端末における例示的な方法１２００Ｂを示すフローチャートである。本方法は動作１２１２において開始し、モバイル端末が、あらかじめ定義されたキャリアアグリゲーション構成のセット上で動作する能力をシグナリングする。
【００９０】
動作１２１４において、モバイル端末は、上記セットに対応する周波数間測定ギャップ要件をシグナリングする。動作１２１６において、モバイル端末は、上記セットからキャリアアグリゲーション構成を選択するための構成コマンドを受信する。動作１２１８において、モバイル端末は、選択されたキャリアアグリゲーション構成中のキャリアに関連する通信帯域上で動作するための受信機リソースを割り当てる。また、動作１２２０において、モバイル端末は、選択されたキャリアアグリゲーション構成に基づいて周波数間測定ギャップ要件をシグナリングする。
【００９１】
図１３Ａは、ｅノードＢ２１０などの基地局における例示的な方法１３００Ａを示すフローチャートである。本方法は動作１３０２において開始し、基地局が、モバイル端末から、１つまたは複数の周波数帯域を各々が備える１つまたは複数のキャリアアグリゲーション（ＣＡ）構成で動作する能力の指示を受信する。動作１３０４において、各ＣＡ構成について、基地局は、モバイル端末が前記各ＣＡ構成で動作するときの測定ギャップ要件の指示を受信する。測定ギャップ要件は、モバイル端末によってサポートされる周波数帯域の一部または全部に関係し得る。動作１３０６において、基地局は、モバイル端末から、１つまたは複数のＣＡ構成で動作する能力と測定ギャップ要件の指示とを含む能力メッセージを受信する。動作１３０８において、移動局は、キャリアアグリゲーション構成のセットからキャリアアグリゲーション構成を選択するための構成コマンドを送信する。動作１３１０において、基地局は、選択されたキャリアアグリゲーション構成中のキャリアに関連する通信帯域に対応するモバイル端末中の受信機リソースの割当てに基づく周波数間測定ギャップ要件を示す信号を受信する。
【００９２】
図１３Ｂは、ｅＮＢ２１０などの基地局における例示的な方法１３００Ｂを示すフローチャートである。本方法は動作１３１２において開始し、基地局が、モバイル端末から、あらかじめ定義されたキャリアアグリゲーション構成のセット上で動作する能力の指示を受信する。動作１３１４において、基地局は、上記セットに対応するモバイル端末の周波数間測定ギャップ要件の指示を受信する。動作１３１６において、基地局は、上記セットからキャリアアグリゲーション構成を選択するための構成コマンドを送信する。また、動作１３１８において、基地局は、選択されたキャリアアグリゲーション構成に基づく周波数間測定ギャップ要件の指示を受信する。
【００９３】
図１４に、上記で説明した様々な方法および動作をサポートすることが可能な例示的なシステム１４００を示す。システム１４００は、情報、信号、データ、命令、コマンド、ビット、シンボルなどを送信および／または受信することができる基地局（ｅノードＢ）１４０２を含む。基地局１４０２は、トランシーバ１４０６を使用してワイヤレス通信ネットワーク上で複数のアグリゲートされたダウンリンクキャリア１４２０と少なくとも１つのアップリンクキャリア１４３０とを介してユーザ機器（ＵＥ）１４０４と通信することができる。ＵＥ１４０４は、トランシーバ１４１４を使用して情報、信号、データ、命令、コマンド、ビット、シンボルなどを送信および／または受信することができる。さらに、図示されていないが、基地局１４０２と同様の任意の数の基地局がシステム１４００中に含まれ得、および／またはＵＥ１４０４と同様の任意の数のＵＥがシステム１４００中に含まれ得ることが企図される。
【００９４】
ＵＥ１４０４中のトランシーバ１４１４は、あらかじめ定義されたキャリアアグリゲーション構成のセットのサブセット上で動作する能力をシグナリングするメッセージ、および／またはＵＥの無線リソースのアーキテクチャに基づいて測定ギャップについてのＵＥの要件をシグナリングするメッセージを含む、メッセージを基地局１４０２に送るように構成され得る。トランシーバ１４１４は、ＵＥ１４０４の無線リソースを選択されたキャリアアグリゲーション構成に再構成する構成コマンドを基地局１４０２から受信するようにも構成され得る。ＵＥ１４０４は、適合性のあるキャリアアグリゲーション構成とそのキャリアアグリゲーション構成に対応する測定ギャップ要件とを示すシグナリングメッセージを生成するように構成されたシグナリング構成要素１４１８をも含み得る。ＵＥ１４０４は、基地局１４０２から受信した再構成コマンドに応答してＵＥ１４０４の無線リソースを割り当てる構成構成要素（configuration component）１４１６をも含み得る。
【００９５】
基地局１４０２中のトランシーバ１４０６は、あらかじめ定義されたキャリアアグリゲーション構成のセットのサブセット上で動作する能力をシグナリングするメッセージ、および／またはＵＥの無線リソースのアーキテクチャに基づく測定ギャップについてのＵＥの要件を示すメッセージを含む、メッセージをＵＥ１４０４から受信するように構成され得る。トランシーバ１４０６は、ＵＥ１４０４の無線リソースを選択されたキャリアアグリゲーション構成に再構成するための構成コマンドをＵＥ１４０４に送るようにも構成され得る。基地局１４０２は、ＵＥ１４０４のシグナリングされた能力に基づいてＵＥ１４０４についてのキャリアアグリゲーション構成を選択するように構成された判断構成要素１４１０をも含み得る。基地局１４０２は、ＵＥ１４０４に送信されるべき構成コマンドを生成するための構成構成要素をも含み得る。
【００９６】
図１５に、様々な開示する実施形態が実装され得る装置１５００を示す。特に、図１５に示す装置１５００は、（図１４に示す基地局１４０２およびユーザ機器１４０４など）基地局の少なくとも一部分またはユーザ機器の少なくとも一部分および／または（図２に示す送信機システム２１０および受信機システム２５０など）送信機システムまたは受信機システムの少なくとも一部分を備え得る。図１５に示す装置１５００は、ワイヤレスネットワーク内に常駐し、たとえば、１つまたは複数の受信機ならびに／または適切な受信および復号回路（たとえば、アンテナ、トランシーバ、復調器など）を介して着信データを受信することができる。図１５に示す装置１５００はまた、たとえば、１つまたは複数の送信機ならびに／または適切な符号化および送信回路（たとえば、アンテナ、トランシーバ、変調器など）を介して発信データを送信することができる。追加または代替として、図１５に示す装置１５００は、ワイヤードネットワーク内に常駐し得る。
【００９７】
さらに、図１５は、装置１５００が、信号調整、分析など、１つまたは複数の動作を実行するための命令を保持することができるメモリ１５０２を含むことができることを示している。さらに、図１５の装置１５００は、メモリ１５０２に記憶された命令および／または別のデバイスから受信した命令を実行することができるプロセッサ１５０４を含み得る。命令は、たとえば、装置１５００または関係する通信装置を構成するまたは動作させることに関係することができる。図１５に示すメモリ１５０２は単一のブロックとして示されているが、別個の物理および／または論理ユニットを構成する２つ以上の別個のメモリを備え得ることに留意されたい。さらに、メモリは、プロセッサ１５０４に通信可能に接続されているが、完全にまたは部分的に、図１５に示す装置１５００の外部に常駐し得る。また、図１４に示した構成構成要素１４０８、構成構成要素１４１６、判断構成要素１４１０およびシグナリング構成要素１４１８など、１つまたは複数の構成要素がメモリ１５０２などのメモリ内に存在することができることを理解されたい。
【００９８】
開示する実施形態に関して説明したメモリは、揮発性メモリもしくは不揮発性メモリのいずれかであり得、または揮発性メモリと不揮発性メモリの両方を含むことができることを諒解されよう。限定ではなく、例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。
【００９９】
また、図１５の装置１５００は、ユーザ機器またはモバイルデバイスとともに採用され得、たとえば、ＳＤカード、ネットワークカード、ワイヤレスネットワークカード、（ラップトップ、デスクトップ、携帯情報端末（ＰＤＡ）を含む）コンピュータ、モバイルフォン、スマートフォン、またはネットワークにアクセスするために利用され得る任意の他の好適な端末などのモジュールであり得ることに留意されたい。ユーザ機器は、アクセス構成要素（図示せず）を介してネットワークにアクセスする。一例では、ユーザ機器とアクセス構成要素との間の接続は本質的にワイヤレスであり得、アクセス構成要素は基地局であり得、ユーザ機器はワイヤレス端末である。たとえば、端末および基地局は、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルを介して通信し得る。
【０１００】
アクセス構成要素は、ワイヤードネットワークまたはワイヤレスネットワークに関連するアクセスノードであり得る。そのために、アクセス構成要素は、たとえば、ルータ、スイッチなどであり得る。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）であり得、基地局（またはワイヤレスアクセスポイント）は複数の加入者にワイヤレスカバレージエリアを与えるために利用される。そのような基地局（またはワイヤレスアクセスポイント）は、１つまたは複数のセルラーフォンおよび／または他のワイヤレス端末に連続するカバレージエリアを与えるように配置され得る。
【０１０１】
本明細書で説明する実施形態および特徴は、ハードウェア、ソフトウェア、ファームウェア、またはそれらの任意の組合せによって実装され得ることを理解されたい。本明細書で説明する様々な実施形態は、ネットワーク化された環境においてコンピュータによって実行される、プログラムコードなどのコンピュータ実行可能命令を含むコンピュータ可読媒体において実施されるコンピュータプログラム製品によって一実施形態では実装され得る、方法またはプロセスの概略的なコンテキストで説明する。上述のように、メモリおよび／またはコンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不可能なストレージデバイスを含み得る。ソフトウェアで実装されるとき、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。
【０１０２】
さらに、いかなる接続もコンピュータ可読媒体と適切に呼ばれる。たとえば、ソフトウェアが、同軸ケーブル、光ファイバーケーブル、またはツイストペアを使用して、ウェブサイト、サーバ、または他のリモートソースから送信される場合、同軸ケーブル、光ファイバーケーブル、またはツイストペアは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【０１０３】
概して、プログラムモジュールは、特定のタスクを実行するか、または特定の抽象データ型を実装する、ルーチン、プログラム、オブジェクト、構成要素、データ構造などを含み得る。コンピュータ実行可能命令、関連するデータ構造およびプログラムモジュールは、本明細書で開示する方法のステップを実行するためのプログラムコードの例を表す。そのような実行可能命令または関連するデータ構造の特定のシーケンスは、そのようなステップまたはプロセスで説明する機能を実装するための対応する行為の例を表す。
【０１０４】
本明細書で開示する態様に関して説明する様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【０１０５】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部および／またはプロセッサの外部に実装され得、その場合、当技術分野で知られているように様々な手段を介してプロセッサに通信可能に結合され得る。さらに、少なくとも１つのプロセッサは、本明細書で説明する機能を実行するように動作可能な１つまたは複数のモジュールを含み得る。
【０１０６】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、ユーザ機器ツーユーザ機器）アドホックネットワークシステムをさらに含み得る。
【０１０７】
シングルキャリア変調および周波数領域等化を利用するシングルキャリア周波数分割多元接続（ＳＣ−ＦＤＭＡ）は、開示する実施形態とともに利用され得る技法である。ＳＣ−ＦＤＭＡは、ＯＦＤＭＡシステムと同様の性能および本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、より低いＰＡＰＲが送信電力効率の点でユーザ機器に利益を与えることができるアップリンク通信において利用され得る。
【０１０８】
さらに、本明細書で説明する様々な態様または特徴は、標準のプログラミングおよび／またはエンジニアリング技法を使用した方法、装置または製造品として実装され得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピーディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、本明細書で説明する機能をコンピュータに実行させるように動作可能な１つまたは複数の命令またはコードを有するコンピュータ可読媒体を含み得る。
【０１０９】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの実施形態では、プロセッサおよび記憶媒体はＡＳＩＣ中に常駐し得る。さらに、ＡＳＩＣはユーザ機器（たとえば、図１４中のＵＥ１４０４）中に常駐し得る。代替として、プロセッサおよび記憶媒体はユーザ機器中の個別構成要素（たとえば、図１４の構成要素１４０８、１４１０、１４１６および１４１８）として常駐し得る。さらに、いくつかの実施形態では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【０１１０】
上記の開示は、例示的な実施形態について論じたが、添付の特許請求の範囲によって定義された説明した実施形態の範囲から逸脱することなく、様々な変更および修正を本明細書で行うことができることに留意されたい。したがって、説明した実施形態は、添付の特許請求の範囲内に入るすべてのそのような改変、修正および変形形態を包含するものとする。さらに、説明した実施形態の要素は、単数形で説明または請求されていることがあるが、単数形への限定が明示的に述べられていない限り、複数形が企図される。さらに、任意の実施形態の全部または一部は、別段に記載されていない限り、任意の他の実施形態の全部または一部とともに利用され得る。
【０１１１】
「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかにおいて使用される「または」という用語は、排他的な「または」でなく包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
以下に、本願出願の当初の特許請求の範囲に記載された発明を付記する。
［Ｃ１］
モバイル端末における方法であって、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと
を備える、方法。
［Ｃ２］
前記１つまたは複数のＣＡ構成で動作する前記能力と前記測定ギャップ要件の前記指示とを含む能力メッセージを生成することと、
前記能力メッセージをサービング基地局に送ることと
をさらに備える、Ｃ１に記載の方法。
［Ｃ３］
前記能力メッセージを生成することが、前記サービング基地局からの要求に応答する、Ｃ２に記載の方法。
［Ｃ４］
前記能力メッセージを生成することが、無線リソースの再構成に関連して前記モバイル端末によって開始される、Ｃ２に記載の方法。
［Ｃ５］
前記モバイル端末が複数の受信機を備え、前記測定ギャップ要件が前記複数の受信機の能力に基づく、Ｃ１に記載の方法。
［Ｃ６］
前記受信機のうちの少なくとも２つが同じ周波数帯域上で動作することが可能である、Ｃ５に記載の方法。
［Ｃ７］
前記測定ギャップ要件が、前記モバイル端末における受信機リソースの論理的配置に対応する、Ｃ１に記載の方法。
［Ｃ８］
前記ＣＡ構成のうちの少なくとも１つが、単一の周波数帯域内で定義された複数のコンポーネントキャリアを有する前記単一の周波数帯域を備える、Ｃ１に記載の方法。
［Ｃ９］
前記ＣＡ構成のうちの少なくとも１つが、複数のコンポーネントキャリアを定義する複数の周波数帯域を備える、Ｃ１に記載の方法。
［Ｃ１０］
キャリアアグリゲーション構成のセットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
をさらに備える、Ｃ１に記載の方法。
［Ｃ１１］
前記セットから選択された他のキャリアアグリゲーション構成についての再構成要求を受信することと、
前記サブセットから選択された前記他のキャリアアグリゲーション構成に基づいて周波数間測定ギャップ要件をシグナリングすることと
をさらに備える、Ｃ１０に記載の方法。
［Ｃ１２］
前記周波数間測定ギャップ要件に基づく周波数測定要求を受信することと、
前記測定要求が前記モバイル端末の論理的構成または物理的構成に適合しないとき、「適合不可」指示をシグナリングすることと
をさらに備える、Ｃ１に記載の方法。
［Ｃ１３］
モバイル端末における方法であって、
あらかじめ定義されたキャリアアグリゲーション構成のセット上で動作する能力をシグナリングすることと、
前記セットに対応する周波数間測定ギャップ要件をシグナリングすることと
を備える、方法。
［Ｃ１４］
あらかじめ定義されたキャリアアグリゲーション構成の前記セットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
をさらに備える、Ｃ１３に記載の方法。
［Ｃ１５］
基地局における方法であって、
モバイル端末から、１つまたは複数の周波数帯域を各々が備える１つまたは複数のキャリアアグリゲーション（ＣＡ）構成で動作する能力の指示を受信することと、
前記モバイル端末によってサポートされる周波数帯域について各ＣＡ構成で動作するときの前記モバイル端末の測定ギャップ要件の指示を受信することと
を備える、方法。
［Ｃ１６］
前記モバイル端末から、前記１つまたは複数のＣＡ構成で動作する前記能力と前記測定ギャップ要件の前記指示とを含む能力メッセージを受信することをさらに備える、Ｃ１５に記載の方法。
［Ｃ１７］
前記能力メッセージが、前記基地局からの要求に応答して受信される、Ｃ１６に記載の方法。
［Ｃ１８］
前記能力メッセージが、前記基地局によって要求された無線リソースの再構成に応答して受信される、Ｃ１６に記載の方法。
［Ｃ１９］
前記測定ギャップ要件が、前記モバイル端末中の複数の受信機の能力に対応する、Ｃ１５に記載の方法。
［Ｃ２０］
前記測定ギャップ要件が、前記モバイル端末における受信機リソースの論理的配置に対応する、Ｃ１５に記載の方法。
［Ｃ２１］
前記ＣＡ構成のうちの少なくとも１つが、単一の周波数帯域内で定義された複数のコンポーネントキャリアを有する前記単一の周波数帯域を備える、Ｃ１５に記載の方法。
［Ｃ２２］
前記ＣＡ構成のうちの少なくとも１つが、複数のコンポーネントキャリアを定義する複数の周波数帯域を備える、Ｃ１５に記載の方法。
［Ｃ２３］
キャリアアグリゲーション構成のセットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件を示す信号を受信することと
をさらに備える、Ｃ１５に記載の方法。
［Ｃ２４］
前記セットから選択された他のキャリアアグリゲーション構成についての再構成要求を送信することと、
前記セットから選択された前記他のキャリアアグリゲーション構成に基づく周波数間測定ギャップ要件を受信することと
をさらに備える、Ｃ２３に記載の方法。
［Ｃ２５］
前記周波数間測定ギャップ要件に基づいて周波数測定要求を送信することと、
前記測定要求が前記モバイル端末の論理的構成または物理的構成に適合しないとき、「適合不可」指示を受信することと
をさらに備える、Ｃ１５に記載の方法。
［Ｃ２６］
基地局における方法であって、
モバイル端末から、あらかじめ定義されたキャリアアグリゲーション構成のセット上で動作する能力の指示を受信することと、
前記セットに対応する前記モバイル端末の周波数間測定ギャップ要件の指示を受信することと
を備える、方法。
［Ｃ２７］
前記セットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件の指示を受信することと
をさらに備える、Ｃ２６に記載の方法。
［Ｃ２８］
周波数間測定ギャップ要件の前記指示と、あらかじめ定義されたキャリアアグリゲーション構成のセット上で動作する前記能力の前記指示とが、同じメッセージ中で前記モバイル端末から受信され、前記同じメッセージが、前記基地局からの要求に応答して受信される、Ｃ２６に記載の方法。
［Ｃ２９］
モバイル端末であって、
１つまたは複数の周波数帯域を各々が備える１つまたは複数のキャリアアグリゲーション（ＣＡ）構成で動作する能力をシグナリングするための手段と、
各ＣＡ構成について、前記モバイル端末によってサポートされる周波数帯域について前記モバイル端末が前記各ＣＡ構成で動作するときの測定ギャップ要件の指示を与えるための手段と
を備える、モバイル端末。
［Ｃ３０］
前記１つまたは複数のＣＡ構成で動作する前記能力と前記測定ギャップ要件の前記指示とを含む能力メッセージを生成するための手段と、
前記能力メッセージをサービング基地局に送るための手段と
をさらに備える、Ｃ２９に記載のモバイル端末。
［Ｃ３１］
前記能力メッセージを生成するための前記手段が、前記サービング基地局からの要求に応答して動作可能である、Ｃ３０に記載のモバイル端末。
［Ｃ３２］
前記能力メッセージを生成するための前記手段が、無線リソースの再構成に関連して開始される、Ｃ３０に記載のモバイル端末。
［Ｃ３３］
前記モバイル端末が複数の受信手段を備え、前記測定ギャップ要件が前記複数の受信手段の能力に基づく、Ｃ２９に記載のモバイル端末。
［Ｃ３４］
前記受信手段のうちの少なくとも２つが同じ周波数帯域上で動作することが可能である、Ｃ３３に記載のモバイル端末。
［Ｃ３５］
前記測定ギャップ要件が、前記モバイル端末における受信手段の論理的配置に対応する、Ｃ２９に記載のモバイル端末。
［Ｃ３６］
前記ＣＡ構成のうちの少なくとも１つが、単一の周波数帯域内で定義された複数のコンポーネントキャリアを有する前記単一の周波数帯域を備える、Ｃ２９に記載のモバイル端末。
［Ｃ３７］
前記ＣＡ構成のうちの少なくとも１つが、複数のコンポーネントキャリアを定義する複数の周波数帯域を備える、Ｃ２９に記載のモバイル端末。
［Ｃ３８］
キャリアアグリゲーション構成のセットからキャリアアグリゲーション構成を選択するための構成コマンドを受信するための手段と、
前記選択されたキャリアアグリゲーション構成中のキャリアに関連する通信帯域上で動作するための受信機リソースを割り当てるための手段と、
前記選択されたキャリアアグリゲーション構成に基づいて周波数間測定ギャップ要件をシグナリングするための手段と
をさらに備える、Ｃ２９に記載のモバイル端末。
［Ｃ３９］
前記セットから選択された他のキャリアアグリゲーション構成についての再構成要求を受信するための手段と、
前記セットから選択された前記他のキャリアアグリゲーション構成に基づいて周波数間測定ギャップ要件をシグナリングするための手段と
をさらに備える、Ｃ３８に記載のモバイル端末。
［Ｃ４０］
前記周波数間測定ギャップ要件に基づく周波数測定要求を受信するための手段と、
前記測定要求が前記モバイル端末の論理的構成または物理的構成に適合しないとき、「適合不可」指示をシグナリングするための手段と
をさらに備える、Ｃ２９に記載のモバイル端末。
［Ｃ４１］
モバイル端末であって、
あらかじめ定義されたキャリアアグリゲーション構成のセット上で動作する能力をシグナリングするための手段と、
前記セットに対応する周波数間測定ギャップ要件をシグナリングするための手段と
を備える、モバイル端末。
［Ｃ４２］
前記セットからキャリアアグリゲーション構成を選択するための構成コマンドを受信するための手段と、
前記選択されたキャリアアグリゲーション構成中のキャリアに関連する通信帯域上で動作するための受信機リソースを割り当てるための手段と、
前記選択されたキャリアアグリゲーション構成に基づいて周波数間測定ギャップ要件をシグナリングするための手段と
を備える、Ｃ４１に記載のモバイル端末。
［Ｃ４３］
基地局であって、
モバイル端末から、１つまたは複数の周波数帯域を各々が備える１つまたは複数のキャリアアグリゲーション（ＣＡ）構成で動作する能力の指示を受信するための手段と、
前記モバイル端末によってサポートされる周波数帯域について各ＣＡ構成で動作するときの前記モバイル端末の測定ギャップ要件の指示を受信するための手段と
を備える、基地局。
［Ｃ４４］
前記モバイル端末から、前記１つまたは複数のＣＡ構成で動作する前記能力と前記測定ギャップ要件の前記指示とを含む能力メッセージを受信するための手段をさらに備える、Ｃ４３に記載の基地局。
［Ｃ４５］
前記能力メッセージが、前記基地局からの要求に応答して受信される、Ｃ４４に記載の基地局。
［Ｃ４６］
前記能力メッセージが、前記基地局によって要求された無線リソースの再構成に応答して受信される、Ｃ４４に記載の基地局。
［Ｃ４７］
前記測定ギャップ要件が、前記モバイル端末中の複数の受信機の能力に対応する、Ｃ４３に記載の基地局。
［Ｃ４８］
前記測定ギャップ要件が、前記モバイル端末における受信機リソースの論理的配置に対応する、Ｃ４３に記載の基地局。
［Ｃ４９］
前記ＣＡ構成のうちの少なくとも１つが、単一の周波数帯域内で定義された複数のコンポーネントキャリアを有する前記単一の周波数帯域を備える、Ｃ４３に記載の基地局。
［Ｃ５０］
前記ＣＡ構成のうちの少なくとも１つが、複数のコンポーネントキャリアを定義する複数の周波数帯域を備える、Ｃ４３に記載の基地局。
［Ｃ５１］
キャリアアグリゲーション構成のセットからキャリアアグリゲーション構成を選択するための構成コマンドを送信するための手段と、
前記選択されたキャリアアグリゲーション構成中のキャリアに関連する通信帯域に対応する前記モバイル端末中の受信機リソースの割当てに基づく周波数間測定ギャップ要件を示す信号を受信するための手段と
をさらに備える、Ｃ４３に記載の方法。
［Ｃ５２］
前記セットから選択された他のキャリアアグリゲーション構成についての再構成要求を送信するための手段と、
前記セットから選択された前記他のキャリアアグリゲーション構成に基づいて周波数間測定ギャップ要件を受信するための手段と
をさらに備える、Ｃ５１に記載の基地局。
［Ｃ５３］
前記周波数間測定ギャップ要件に基づいて周波数測定要求を送信するための手段と、
前記測定要求が前記モバイル端末の論理的構成または物理的構成に適合しないとき、「適合不可」指示を受信するための手段と
をさらに備える、Ｃ４３に記載の基地局。
［Ｃ５４］
基地局であって、
モバイル端末から、あらかじめ定義されたキャリアアグリゲーション構成のセット上で動作する能力の指示を受信するための手段と、
前記セットに対応する前記モバイル端末の周波数間測定ギャップ要件の指示を受信するための手段と
を備える、基地局。
［Ｃ５５］
前記セットからキャリアアグリゲーション構成を選択するための構成コマンドを送信するための手段と、
前記選択されたキャリアアグリゲーション構成中のキャリアに関連する通信帯域に対応する前記モバイル端末中の受信機リソースの割当てに基づく周波数間測定ギャップ要件の指示を受信するための手段と
をさらに備える、Ｃ５４に記載の基地局。
［Ｃ５６］
周波数間測定ギャップ要件の前記指示と、あらかじめ定義されたキャリアアグリゲーション構成のセット上で動作する前記能力の前記指示とが、同じメッセージ中で前記モバイル端末から受信され、前記同じメッセージが、前記基地局からの要求に応答して受信される、Ｃ５４に記載の基地局。
［Ｃ５７］
機械によって実行されたとき、前記機械をモバイル端末として、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと、
前記１つまたは複数のＣＡ構成で動作する前記能力と前記測定ギャップ要件の前記指示とを含む能力メッセージを生成することと、
前記能力メッセージをサービング基地局に送ることと
を行うように構成する、命令をそれの中に有する有形記憶媒体を備える、製造品。
［Ｃ５８］
機械によって実行されたとき、前記機械を基地局として、
モバイル端末から、あらかじめ定義されたキャリアアグリゲーション構成のセット上で動作する能力の指示を受信することと、
前記セットに対応する前記モバイル端末の周波数間測定ギャップ要件の指示を受信することと
を行うように構成する、命令をそれの中に有する有形記憶媒体を備える、製造品。
［Ｃ５９］
モバイル端末であって、
プロセッサと、
前記プロセッサによって実行されたとき、前記モバイル端末を、
１つまたは複数の周波数帯域を各々が備える１つまたは複数のキャリアアグリゲーション（ＣＡ）構成で動作する能力をシグナリングすることと、
各ＣＡ構成について、前記モバイル端末によってサポートされる周波数帯域について前記モバイル端末が前記各ＣＡ構成で動作するときの測定ギャップ要件の指示を与えることと
を行うように構成する、プロセッサ実行可能命令を備えるメモリと
を備える、モバイル端末。
［Ｃ６０］
前記モバイル端末が、
前記１つまたは複数のＣＡ構成で動作する前記能力と前記測定ギャップ要件の前記指示とを含む能力メッセージを生成することと、
前記能力メッセージをサービング基地局に送ることと
を行うようにさらに構成された、Ｃ５９に記載のモバイル端末。
［Ｃ６１］
前記モバイル端末が、前記サービング基地局からの要求に応答して前記能力メッセージを生成するように構成された、Ｃ６０に記載のモバイル端末。
［Ｃ６２］
前記モバイル端末が、無線リソースの再構成に応答して前記能力メッセージを生成するように構成された、Ｃ６０に記載のモバイル端末。
［Ｃ６３］
前記モバイル端末が複数の受信機を備え、前記測定ギャップ要件が前記複数の受信機の能力に基づく、Ｃ５９に記載のモバイル端末。
［Ｃ６４］
前記受信機のうちの少なくとも２つが同じ周波数帯域上で動作することが可能である、Ｃ６３に記載のモバイル端末。
［Ｃ６５］
前記測定ギャップ要件が、前記モバイル端末における受信機リソースの論理的配置に対応する、Ｃ５９に記載のモバイル端末。
［Ｃ６６］
前記ＣＡ構成のうちの少なくとも１つが、単一の周波数帯域内で定義された複数のコンポーネントキャリアを有する前記単一の周波数帯域を備える、Ｃ５９に記載のモバイル端末。
［Ｃ６７］
前記ＣＡ構成のうちの少なくとも１つが、複数のコンポーネントキャリアを定義する複数の周波数帯域を備える、Ｃ５９に記載のモバイル端末。
［Ｃ６８］
前記モバイル端末が、
キャリアアグリゲーション構成のセットからキャリアアグリゲーション構成を選択するための構成コマンドを受信することと、
前記選択されたキャリアアグリゲーション構成中のキャリアに関連する通信帯域上で動作するための受信機リソースを割り当てることと、
前記選択されたキャリアアグリゲーション構成に基づいて周波数間測定ギャップ要件をシグナリングすることと
を行うようにさらに構成された、Ｃ５９に記載のモバイル端末。
［Ｃ６９］
前記モバイル端末が、
前記セットから選択された他のキャリアアグリゲーション構成についての再構成要求を受信することと、
前記サブセットから選択された前記他のキャリアアグリゲーション構成に基づいて周波数間測定ギャップ要件をシグナリングすることと
を行うようにさらに構成された、Ｃ６８に記載のモバイル端末。
［Ｃ７０］
前記モバイル端末が、
前記周波数間測定ギャップ要件に基づいて周波数測定要求を受信することと、
前記測定要求が前記モバイル端末の論理的構成または物理的構成に適合しないとき、「適合不可」指示をシグナリングすることと
を行うようにさらに構成された、Ｃ５９に記載のモバイル端末。
［Ｃ７１］
基地局であって、
プロセッサと、
前記プロセッサによって実行されたとき、前記基地局を、
モバイル端末から、１つまたは複数の周波数帯域を各々が備える１つまたは複数のキャリアアグリゲーション（ＣＡ）構成で動作する能力の指示を受信することと、
前記モバイル端末によってサポートされる周波数帯域について各ＣＡ構成で動作するときの前記モバイル端末の測定ギャップ要件の指示を受信することと
を行うように構成する、プロセッサ実行可能命令を備えるメモリと
を備える、基地局。
［Ｃ７２］
前記基地局が、前記モバイル端末から、前記１つまたは複数のＣＡ構成で動作する前記能力と前記測定ギャップ要件の前記指示とを含む能力メッセージを受信するようにさらに構成された、Ｃ７１に記載の基地局。
［Ｃ７３］
前記能力メッセージが、前記基地局からの要求に応答して受信される、Ｃ７２に記載の基地局。
［Ｃ７４］
前記能力メッセージが、前記基地局によって要求された無線リソースの再構成に応答して受信される、Ｃ７２に記載の基地局。
［Ｃ７５］
前記測定ギャップ要件が、前記モバイル端末中の複数の受信機の能力に対応する、Ｃ７１に記載の基地局。
［Ｃ７６］
前記測定ギャップ要件が、前記モバイル端末における受信機リソースの論理的配置に対応する、Ｃ７１に記載の基地局。
［Ｃ７７］
前記ＣＡ構成のうちの少なくとも１つが、単一の周波数帯域内で定義された複数のコンポーネントキャリアを有する前記単一の周波数帯域を備える、Ｃ７１に記載の基地局。
［Ｃ７８］
前記ＣＡ構成のうちの少なくとも１つが、複数のコンポーネントキャリアを定義する複数の周波数帯域を備える、Ｃ７１に記載の基地局。
［Ｃ７９］
前記基地局が、
キャリアアグリゲーション構成のセットからキャリアアグリゲーション構成を選択するための構成コマンドを送信することと、
前記選択されたキャリアアグリゲーション構成中のキャリアに関連する通信帯域に対応する前記モバイル端末中の受信機リソースの割当てに基づく周波数間測定ギャップ要件を示す信号を受信することと
を行うようにさらに構成された、Ｃ７１に記載の基地局。
［Ｃ８０］
前記基地局が、
前記セットから選択された他のキャリアアグリゲーション構成についての再構成要求を送信することと、
前記セットから選択された前記他のキャリアアグリゲーション構成に基づく周波数間測定ギャップ要件を受信することと
を行うようにさらに構成された、Ｃ７９に記載の基地局。
［Ｃ８１］
前記基地局が、
前記周波数間測定ギャップ要件に基づいて周波数測定要求を送信することと、
前記測定要求が前記モバイル端末の論理的構成または物理的構成に適合しないとき、「適合不可」指示を受信することと
を行うようにさらに構成された、Ｃ７１に記載の基地局。
［Ｃ８２］
前記周波数間測定ギャップ要件をシグナリングすることは、前記モバイル端末がそれの上での通信が可能である通信帯域のサブセットを各帯域グループが備える、１つまたは複数の帯域グループをシグナリングすることを備える、Ｃ８１に記載の基地局。
【図１】
0005705995.tif 000004
【図２】
0005705995.tif 000005
【図３】
0005705995.tif 000006
【図４】
0005705995.tif 000007
【図５Ａ】
0005705995.tif 000008
【図５Ｂ】
0005705995.tif 000009
【図６Ａ】
0005705995.tif 000010
【図６Ｂ】
0005705995.tif 000011
【図７】
0005705995.tif 000012
【図８】
0005705995.tif 000013
【図９】
0005705995.tif 000014
【図１０】
0005705995.tif 000015
【図１１Ａ】
0005705995.tif 000016
【図１１Ｂ】
0005705995.tif 000017
【図１１Ｃ】
0005705995.tif 000018
【図１１Ｄ】
0005705995.tif 000019
【図１２Ａ】
0005705995.tif 000020
【図１２Ｂ】
0005705995.tif 000021
【図１３Ａ】
0005705995.tif 000022
【図１３Ｂ】
0005705995.tif 000023
【図１４】
0005705995.tif 000024
【図１５】
0005705995.tif 000025